(57)【要約】【課題】サービス提供者のサービスに係わる客体を提供するシステム及びその方法を提供する。【解決手段】客体提供システム及びその方法に係り、サービス提供者のサービスを利用するための客体を提供するサーバは、サービスがデバイスまたはユーザによって利用される状況、及び該状況で利用されたサービスに係わる少なくとも１つのコンテクストモデルを、該サービス提供者に提供するコンテクストモデル提供部と、少なくとも１つのコンテクストモデルのうち、該サービス提供者によって選択されたコンテクストモデルに対する購入要請を、該サービス提供者から受信する購入要請受信部と、該サービス提供者のサービスを利用するための客体を生成する客体生成部と、を含み、生成された客体は、該サービス提供者が購入要請したコンテクストモデルにマッチングされる。【選択図】図１
2014154164.tif 000002
【特許請求の範囲】
【請求項１】
サービス提供者のサービスを利用するための客体を提供するサーバにおいて、
サービスがデバイスまたはユーザによって利用される状況、及び前記状況で利用された前記サービスに係わる少なくとも１つのコンテクストモデルを、前記サービス提供者に提供するコンテクストモデル提供部と、
前記少なくとも１つのコンテクストモデルのうち、前記サービス提供者によって選択されたコンテクストモデルに対する購入要請を、前記サービス提供者から受信する購入要請受信部と、
前記サービス提供者のサービスを利用するための客体を生成する客体生成部と、を含み、
前記生成された客体は、前記サービス提供者が購入要請したコンテクストモデルにマッチングされたサーバ。
【請求項２】
前記デバイスの現在状況により、前記コンテクストモデルを選択し、前記選択されたコンテクストモデルを購入要請した前記サービス提供者のサービスを利用するための前記客体を、前記デバイスに提供する客体提供部をさらに含むことを特徴とする請求項１に記載のサーバ。
【請求項３】
前記客体提供部は、前記デバイスの現在状況をモニタリングし、前記モニタリング結果に基づいて、前記コンテクストモデルを選択することを特徴とする請求項２に記載のサーバ。
【請求項４】
前記コンテクストモデル提供部は、前記コンテクストモデルを生成し、前記生成されたコンテクストモデルを、前記サービス提供者に提供することを特徴とする請求項１に記載のサーバ。
【請求項５】
前記コンテクストモデルは、複数のコンテクスト項目、及び前記複数のコンテクスト項目にマッチングされたサービスの種類を含み、
前記購入要請は、前記複数のコンテクスト項目のうち、前記サービス提供者によって選択された少なくとも１つのコンテクスト項目に対する購入要請であることを特徴とする請求項４に記載のサーバ。
【請求項６】
前記複数のコンテクスト項目は、前記サービスの種類により、前記サービス提供者に推薦されたことを特徴とする請求項５に記載のサーバ。
【請求項７】
前記購入要請受信部は、前記複数のコンテクスト項目のうち、前記購入要請された少なくとも１つのコンテクスト項目を、前記サービス提供者のサービスとマッチングさせることを特徴とする請求項５に記載のサーバ。
【請求項８】
前記客体が提供されることにより、前記サービス提供者に要請される課金額を決定する課金額決定部をさらに含むことを特徴とする請求項１に記載のサーバ。
【請求項９】
前記サービス提供者によって選択された課金方式に係わる情報を、前記サービス提供者から受信し、前記受信された課金方式に係わる情報に基づいて、前記サービス提供者に対する課金方式を決定する課金方式決定部をさらに含み、
前記課金額決定部は、前記決定された課金方式に基づいて、前記課金額を算出することを特徴とする請求項８に記載のサーバ。
【請求項１０】
前記課金方式は、共同購入方式を含み、
前記課金方式決定部は、前記サービス提供者の購入金額に基づいて、前記サービス提供者のサービスを利用するための前記客体の露出確率を決定し、
前記客体提供部は、前記露出確率に基づいて、前記客体を前記デバイスに提供することを特徴とする請求項９に記載のサーバ。
【請求項１１】
前記客体生成部は、
前記客体の生成に利用されるテンプレートを、前記サービス提供者に提供し、前記サービス提供者から、編集されたテンプレートを受信し、前記受信された編集されたテンプレートを利用して、前記客体を生成することを特徴とする請求項１に記載のサーバ。
【請求項１２】
前記客体生成部は、前記編集されたテンプレートに、前記客体を推薦するおすすめ根拠を挿入することを特徴とする請求項１１に記載のサーバ。
【請求項１３】
前記編集されたテンプレートは、前記サーバから前記サービス提供者に提供された編集ツールを利用して、前記サービス提供者によって編集されたことを特徴とする請求項１１に記載のサーバ。
【請求項１４】
サーバが、サービス提供者のサービスを利用するための客体を提供する方法において、
サービスがデバイスまたはユーザによって利用される状況、及び前記状況で利用された前記サービスに係わる少なくとも１つのコンテクストモデルを、前記サービス提供者に提供する段階と、
前記サービス提供者から、前記サービス提供者によって選択されたコンテクストモデルに対する購入要請を受信する段階と、
前記購入要請に応答し、前記サービス提供者のサービスを利用するための客体を生成する段階と、を含み、
前記生成された客体は、前記サービス提供者が購入要請したコンテクストモデルにマッチングされた方法。
【請求項１５】
サービス提供者がサーバにコンテクストモデルの購入を要請する方法において、
前記サーバから、サービスがデバイスまたはユーザによって利用される状況、及び前記状況で利用された前記サービスに係わる少なくとも１つのコンテクストモデルを受信し、前記受信されたコンテクストモデルのうち所定のコンテクストモデルを選択する段階と、
前記サーバに、前記選択されたコンテクストモデルの購入を要請する段階と、を含み、
前記購入要請に応答し、前記サービス提供者のサービスを利用するための客体が、前記サーバによって生成され、
前記生成された客体は、前記サービス提供者によって購入要請されたコンテクストモデルにマッチングされた方法。
【発明の詳細な説明】
【技術分野】
【０００１】
本発明は、サービス提供者のサービスに係わる客体をデバイスに提供するシステム及びその方法に関する。
【背景技術】
【０００２】
デバイスの性能及びネットワーク技術が向上するにつれ、ユーザは、自分のデバイスを利用して、多様なサービス提供者（service provider）から多様なサービスを提供されることが可能となった。しかし、サービス提供者、及びサービス提供者が提供するサービスの種類が多様になることにより、ユーザは、自分の状況に適するサービスを検索し難いという問題があった。さらに、サービス提供者は、自体のサービスを効率的に利用するターゲットユーザに係わる情報を効果的に収集し難いという問題があった。
【０００３】
従って、ユーザが、自分が所望するサービスを利用することができるように、サービス提供者のサービスをユーザに効果的に推薦する客体サービス提供技術が要求されている。さらに、サービス提供者のサービスをユーザに提供することによって生じる課金額を効果的に算出することにより、サービス提供者の参与を効果的に誘導することができる客体サービス提供技術が必要である。
【発明の概要】
【発明が解決しようとする課題】
【０００４】
前記課題を解決するために、本発明は、サービス提供者が購入したコンテクスト項目に基づいて、サービス提供者のサービスを利用するための客体を、デバイスに提供することができる客体提供システム及びその方法を提供する。
【０００５】
前記課題を解決するために、本発明はまた、サービス提供者のサービスを利用するための客体がデバイスに提供されることにより、サービス提供者に対する課金額を決定することができる客体提供システム及びその方法を提供する。
【０００６】
前記課題を解決するために、本発明はまた、デバイスから収集されたコンテクスト情報をモデリングし、コンテクストモデルに基づいて、サービス提供者からコンテクスト項目の購入要請を受信することができる客体提供システム及びその方法を提供する。
【０００７】
前記課題を解決するために、本発明はまた、サービス提供者が決定した課金方式によって、サービス提供者に対する課金額を決定することができる客体提供システム及びその方法を提供する。
【課題を解決するための手段】
【０００８】
前述の技術的課題を達成するための技術的手段として、本発明の第１側面は、サービスがデバイスまたはユーザによって利用される状況（situation）、及び前記状況で利用された前記サービスに係わる少なくとも１つのコンテクストモデルを、前記サービス提供者に提供するコンテクストモデル提供部と、前記少なくとも１つのコンテクストモデルのうち、前記サービス提供者によって選択されたコンテクストモデルに対する購入要請を、前記サービス提供者から受信する購入要請受信部と、前記サービス提供者のサービスを利用するための客体を生成する客体生成部と、を含み、前記生成された客体は、前記サービス提供者が購入要請したコンテクストモデルにマッチングされたものである、サービス提供者のサービスを利用するための客体を提供するサーバを提供することができる。
【０００９】
また、前記サーバは、前記デバイスの現在状況により、前記コンテクストモデルを選択し、前記選択されたコンテクストモデルを購入要請した前記サービス提供者のサービスを利用するための前記客体を、前記デバイスに提供する客体提供部をさらに含んでもよい。
【００１０】
また、前記客体提供部は、前記デバイスの現在状況をモニタリングし、前記モニタリング結果に基づいて、前記コンテクストモデルを選択することができる。
【００１１】
また、前記コンテクストモデル提供部は、前記コンテクストモデルを生成し、前記生成されたコンテクストモデルを、前記サービス提供者に提供することができる。
【００１２】
また、前記コンテクストモデルは、複数のコンテクスト項目、及び前記複数のコンテクスト項目にマッチングされたサービスの種類を含み、前記購入要請は、前記複数のコンテクスト項目のうち、前記サービス提供者によって選択された少なくとも１つのコンテクスト項目に対する購入要請でもある。
【００１３】
また、前記複数のコンテクスト項目は、前記サービスの種類によって、前記サービス提供者に推薦される。
【００１４】
また、前記購入要請受信部は、前記複数のコンテクスト項目のうち、前記購入要請された少なくとも１つのコンテクスト項目を、前記サービス提供者のサービスとマッチングさせることができる。
【００１５】
また、前記サーバは、前記客体が提供されることにより、前記サービス提供者に要請される課金額を決定する課金額決定部をさらに含んでもよい。
【００１６】
また、前記サービス提供者によって選択された課金方式に係わる情報を、前記サービス提供者から受信し、前記受信された課金方式に係わる情報に基づいて、前記サービス提供者に対する課金方式を決定する課金方式決定部をさらに含み、前記課金額決定部は、前記決定された課金方式に基づいて、前記課金額を算出することができる。
【００１７】
また、前記課金方式は、共同購入方式を含み、前記課金方式決定部は、前記サービス提供者の購入金額に基づいて、前記サービス提供者のサービスを利用するための前記客体の露出確率を決定し、前記客体提供部は、前記露出確率に基づいて、前記客体を前記デバイスに提供することができる。
【００１８】
また、前記課金方式は、競売方式を含み、前記客体提供部は、前記サービス提供者の購入金額が、他のサービス提供者の購入金額より高価である場合、前記サービス提供者のサービスを利用するための前記客体を、前記デバイスに提供することができる。
【００１９】
また、前記課金方式は、前記客体の露出程度によって課金する方式であり、前記課金額決定部は、前記客体の提供回数、及び前記デバイスによる前記客体の実行回数のうち少なくとも一つに基づいて、前記課金額を算出することができる。
【００２０】
また、前記課金方式は、前記客体を介したサービス利用によって課金する方式であり、前記課金額決定部は、前記客体を介して提供されるサービスを介して、前記デバイスが購入したコンテンツの購入金額、及び前記客体を介して提供されるサービスの利用金額のうち少なくとも一つに基づいて、前記課金額を算出することができる。
【００２１】
また、前記客体生成部は、前記客体の生成に利用されるテンプレートを、前記サービス提供者に提供し、前記サービス提供者から、編集されたテンプレートを受信し、前記受信された編集されたテンプレートを利用して、前記客体を生成することができる。
【００２２】
また、前記客体生成部は、前記編集されたテンプレートに、前記客体を推薦するおすすめ根拠を挿入することができる。
【００２３】
また、前記編集されたテンプレートは、前記サーバから前記サービス提供者に提供された編集ツールを利用して、前記サービス提供者によって編集されもする。
【００２４】
また、前記客体は、アイコン、テキスト、イメージ、及び前記サービスを介して提供されるコンテンツのリンク情報を含むユーザ・インターフェース、並びに前記客体の機能に係わる説明情報を含んでもよい。
【００２５】
また、本発明の第２側面は、サービスがデバイスまたはユーザによって利用される状況、及び前記状況で利用された前記サービスに係わる少なくとも１つのコンテクストモデルを、前記サービス提供者に提供する段階と、前記サービス提供者から、前記サービス提供者によって選択されたコンテクストモデルに対する購入要請を受信する段階と、前記購入要請に応答し、前記サービス提供者のサービスを利用するための客体を生成する段階と、を含み、前記生成された客体は、前記サービス提供者が購入要請したコンテクストモデルにマッチングされるサービス提供者のサービスを利用するための客体を提供する方法を提供することができる。
【００２６】
また、前記方法は、前記デバイスの現在状況により、前記コンテクストモデルを選択する段階と、前記選択されたコンテクストモデルを購入要請した前記サービス提供者のサービスを利用するための前記客体を、前記デバイスに提供する段階と、をさらに含んでもよい。
【００２７】
また、前記客体を提供する段階は、前記デバイスの現在状況をモニタリングし、前記モニタリング結果に基づいて、前記コンテクストモデルを選択する段階をさらに含んでもよい。
【００２８】
また、本発明の第３側面は、前記サーバから、サービスがデバイスまたはユーザによって利用される状況、及び前記状況で利用された前記サービスに係わる少なくとも１つのコンテクストモデルを受信し、前記受信されたコンテクストモデルのうち所定のコンテクストモデルを選択する段階と、前記サーバに、前記選択されたコンテクストモデルの購入を要請する段階と、を含み、前記購入要請に応答し、前記サービス提供者のサービスを利用するための客体が、前記サーバによって生成され、前記生成された客体は、前記サービス提供者によって購入要請されたコンテクストモデルにマッチングされるものである、サービス提供者がサーバにコンテクストモデルの購入を要請する方法を提供することができる。
【００２９】
また、前記コンテクストモデルは、複数のコンテクスト項目、及び前記複数のコンテクスト項目にマッチングされたサービスの種類を含んでもよい。
【００３０】
また、前記選択する段階は、前記受信されたコンテクストモデルに含まれた前記複数のコンテクスト項目のうち少なくとも一つを選択することができる。
【００３１】
また、本発明の第４側面は、第２側面の方法をコンピュータで実行させるためのプログラムを記録したコンピュータで読み取り可能な記録媒体を提供することができる。
【図面の簡単な説明】
【００３２】
【図１】本発明の一実施形態による、サービス利用のための客体提供システムの概要図である。
【図２】本発明の一実施形態による、サービス利用のための客体提供システムがデバイスにサービスを提供し、サービス提供者に対する課金額を決定する方法のフローチャートである。
【図３】本発明の一実施形態による、サーバがコンテクスト情報をモデリングする方法のフローチャートである。
【図４】本発明の一実施形態による、放送サービスに係わって生成されたコンテクストモデルについて説明するための図面である。
【図５】本発明の一実施形態による、コンテンツ共有サービスに係わって生成されたコンテクストモデルについて説明するための図面である。
【図６】本発明の一実施形態による、タクシーおすすめサービスに係わって生成されたコンテクストモデルについて説明するための図面である。
【図７】本発明の一実施形態によるサービス提供者がコンテクスト項目を購入する方法のフローチャートである。
【図８】本発明の一実施形態によるサービス提供者がコンテクストモデルに係わるサービスの種類を決定し、課金方式を決定する一例について説明するための図面である。
【図９】本発明の一実施形態によるサービス提供者がコンテクストモデルを購入する一例について説明するための図面である。
【図１０】本発明の一実施形態によるサーバが、競売方式でコンテクスト項目を販売する方法のフローチャートである。
【図１１】本発明の一実施形態によるサーバが、共同購入方式でコンテクスト項目を販売する方法のフローチャートである。
【図１２】本発明の一実施形態による、共同購入方式によって客体露出確率が決定される一例について説明するための図面である。
【図１３】本発明の一実施形態によるサーバが、サービス提供者「ＡＡ」の朝ドラマ「ａａ」、及びサービス提供者「ＢＢ」の朝ドラマ「ｂｂ」を提供する一例を図示した図面である。
【図１４】本発明の一実施形態による、サーバがサービス提供者のサービスを利用するための客体を生成する方法のフローチャートである。
【図１５】本発明の一実施形態による、サービス利用のための客体の一例を図示した図面である。
【図１６】本発明の一実施形態による、サーバがサービス提供者に対する課金額を算出する方法のフローチャートである。
【図１７】本発明の一実施形態によるサーバのブロック図である。
【図１８】本発明の他の実施形態によるサーバのブロック図である。
【図１９】本発明の一実施形態によるサービス提供者のブロック図である。
【図２０】本発明の一実施形態によるサーバが、コンテクストモデルにマッチングされた客体を生成する方法のフローチャートである。
【図２１】デバイス及びクラウドサーバから収集されて分類されたコンテクスト情報の一部を示す図面である。
【発明を実施するための形態】
【００３３】
以下、添付図面を参照し、本発明が属する技術分野で当業者が、容易に実施することができるように、本発明の実施形態について詳細に説明する。しかし、本発明は、さまざまに異なる形態に具現され、ここで説明する実施形態に限定されるものではない。図面で、本発明を明確に説明するために、説明と係わりのない部分は省略し、明細書全体を通じて、類似した部分については、類似した図面符号を付した。
【００３４】
明細書全体で、ある部分が他の部分と「連結」されているとするとき、それは、「直接連結」されている場合だけではなく、その中間に、他の素子を挟んで「電気的に連結」されている場合も含む。また、ある部分がある構成要素を「含む」とするとき、それは、特別に反対となる記載がない限り、他の構成要素を除くものではなく、他の構成要素をさらに含んでもよいということを意味する。
【００３５】
また、本明細書で、サービス利用のための客体は、サービス提供者のサービスを利用するためのユーザ・インターフェースをいう。サービス利用のための客体は、サーバまたはコンテンツ提供者から提供されるサービスを利用するためのユーザ・インターフェースでもある。サービス利用のための客体は、例えば、アイコン、テキスト、イメージ及びリンク情報を含むユーザ・インターフェース、並びに客体の機能に係わる説明情報（description）を含んでもよい。
【００３６】
また、デバイスは、サーバから客体を受信し、受信された客体を利用して、サービス提供者のサービスを利用することができる。デバイスは、客体を利用することにより、デバイス内のアプリケーション・プログラム、データソース、サーバ及びコンテンツ提供者からコンテンツを獲得して処理することができる。また、客体は、ユーザ（またはデバイス）のコンテクスト情報に基づいて提供される所定のサービスがパッケージングされたユーザ・インターフェースでもある。
【００３７】
また、客体は、デバイスにインストールされるか、あるいはデバイスによって実行されず、デバイスのホストプログラムによって解釈されることにより、デバイスの画面に表示され、ユーザによって利用される。客体は、例えば、ガジェットでもあるが、それに制限されるものではない。また、客体は、デバイスにインストールされるか、あるいはデバイスによって実行されずに、デバイスのホストプログラムによってデバイスの画面上に、別途のウィンドーに表示されもする。
【００３８】
また、本明細書で、コンテクスト情報は、デバイスが、いかなる状況でいかなるサービスを利用したかということに係わる情報を意味する。また、コンテクスト情報は、サービスの利用と係わり、ユーザ（またはデバイス）とコンピュータ環境とに係わるユーザ（またはデバイス）の環境、客体、状態（state）に係わる状況（situation）を特徴づけるあらゆる情報を含んでもよい。デバイスは、多様な状況で多種のサービスを利用することができ、デバイスのサービス利用状況に係わるコンテクスト情報が、サーバによって収集される。
【００３９】
また、本明細書で、コンテクスト項目は、コンテクスト情報に含まれた細部項目（detail）を意味し、例えば、サービスを利用したユーザ、サービスを利用したデバイスの種類、サービス利用時間、サービス利用位置、サービスを共に利用した他のユーザ、及びデバイスで実行されたアプリケーションを含んでもよいが、それらに制限されるものではない。
【００４０】
また、本明細書で、コンテクストモデルは、少なくとも１つのコンテクスト項目と、所定のサービス種類とをマッチングさせたものを意味する。例えば、朝ドラマの放送サービスは、サービスを利用したユーザ、サービスを利用したデバイスの種類、サービス利用時間、サービス利用位置、サービスを共に利用した他のユーザ、及びデバイスで実行されたアプリケーションのうち少なくとも１つのコンテクスト項目とマッチングされもする。
【００４１】
また本明細書で、コンテクストモデルの購入は、コンテクストモデルの購入により、コンテクストモデルに含まれたあらゆるコンテクスト項目を購入することを含んでもよい。また本明細書で、コンテクスト項目の購入は、コンテクストモデルに含まれたコンテクスト項目の一部を購入することを含んでもよい。
【００４２】
また本明細書で、コンテクスト項目の選択は、コンテクストモデルを選択することにより、コンテクストモデルに含まれたあらゆるコンテクスト項目の選択を含んでもよい。また本明細書で、コンテクスト項目の選択は、コンテクストモデルに含まれたコンテクスト項目の一部を選択することを含んでもよい。
【００４３】
また本明細書で、サービスは、サービス提供者によってデバイスに提供されるあらゆる種類のサービスを含む。サービスは、例えば、放送サービス、コンテンツ共有サービス、コンテンツ提供サービス、電力管理サービス、ゲーム提供サービス、チャットサービス、文書作成サービス、検索サービス、通話サービス、写真撮影サービス、交通手段おすすめサービス及び動画再生サービスを含んでもよい。しかし、それらに制限されるものではない。
【００４４】
以下、添付された図面を参照し、本発明について詳細に説明する。
【００４５】
図１は、本発明の一実施形態による、サービス利用のための客体提供システムの概要図である。
【００４６】
図１に図示されているように、本発明の一実施形態による客体提供システムは、少なくとも１つのデバイス１０００、サーバ２０００、及び少なくとも１つのサービス提供者３０００を含む。
【００４７】
デバイス１０００は、サーバ２０００に、サービス利用に係わるコンテクスト情報を提供する。コンテクスト情報は、例えば、サービスの種類、サービスを利用したユーザ、サービスを利用したデバイスの種類、サービス利用時間、サービス利用位置、サービスを共に利用した他のユーザ、及びデバイスで実行されたアプリケーションのようなコンテクスト項目を含んでもよい。また、デバイス１０００は、デバイス１０００の状況によって推薦されたサービスを利用するための客体を、サーバ２０００から提供される。また、デバイス１０００は、受信された客体を利用して、サービス提供者３０００のサービスを利用することができる。コンテクスト情報は、デバイス１０００が、いかなる状況でいかなるサービスを利用したかということに係わる情報を意味する。デバイス１０００は、スマートフォン、携帯電話、ＰＤＡ（personal digital assistant）、ラップトップ、メディアプレーヤ、ＧＰＳ（global positioning system）装置、及びその他モバイルまたは非モバイルのコンピュータ装置でもある。また、デバイス１０００は、ユーザによって着用される装置でもある。例えば、デバイス１０００は、通信機能及びデータプロセッシング機能を具備した時計、めがね、ヘアバンド及び指輪でもある。しかし、それらに制限されるものではなく、デバイス１０００は、サーバ２０００からネットワークを介して客体を受信して実行することができるあらゆる種類の機器を含んでもよい。
【００４８】
サーバ２０００は、デバイス１０００から収集されるコンテクスト情報に基づいて、サービスの種類によって、所定のコンテクスト項目を推薦することができ、推薦されたコンテクスト項目を、サービス提供者３０００に販売することができる。また、サーバ２０００は、サービス提供者３０００のサービスを利用することができる客体をデバイス１０００に提供し、サービス提供者３０００に課金する課金額を算出することができる。
【００４９】
サーバ２０００は、デバイス１０００のサービス利用に係わるコンテクスト情報を、デバイス１０００から受信し、受信されたコンテクスト情報をモデリングする。サーバ２０００は、所定のサービス種類について、少なくとも１つのコンテクスト項目を推薦することができる。また、サーバ２０００は、推薦されたコンテクスト項目をサービス種類とマッチングさせることにより、所定のコンテクストモデルを生成することができる。例えば、サーバ２０００は、朝ドラマの放送サービスについて、「平日の朝」、「主婦」及び「ＴＶ（television）」のようなコンテクスト項目を推薦することができる。
【００５０】
また、サーバ２０００は、コンテクストモデルを購入しようとするサービス提供者３０００の要請に応答し、要請されたコンテクストモデルを、サービス提供者３０００に販売することができる。コンテクストモデルの購入は、コンテクストモデルに含まれたコンテクスト項目の全部または一部を購入することを含んでもよい。また、サーバ２０００は、要請されたコンテクスト項目を、サービス提供者３０００のサービスとマッチングさせることができる。また、サーバ２０００は、客体生成のためのテンプレート及び編集ツールを、サービス提供者３０００に提供することができ、サービス提供者３０００によって編集されたテンプレートを、サービス提供者３０００から受信し、受信されたテンプレートを利用して、デバイス１０００に提供する客体を生成することができる。
【００５１】
また、サーバ２０００は、サービス提供者３０００のサービスに係わる客体をデバイス１０００に提供し、所定の課金方式により、サービス提供者３０００に課金する課金額を算出することができる。課金方式は、サービス提供者３０００が、コンテクスト項目を購入するときに決定されるが、それに制限されるものではない。
【００５２】
サービス提供者３０００は、サーバ２０００によって推薦されたコンテクストモデルの購入を、サーバ２０００に要請する。サービス提供者３０００は、所定の装置またはサーバでもある。サービス提供者３０００は、自分が提供する所定のサービスについて、コンテクストモデルに含まれたコンテクスト項目の全部または一部を購入することができる。サービス提供者３０００がコンテクスト項目を購入すれば、購入されたコンテクスト項目と同一であるか、あるいは類似している状況のデバイス１０００に、サービス提供者３０００の所定サービスが提供される。例えば、サービス提供者３０００が、自体が提供する「朝のドラマＡ」に対して、「平日の朝」、「主婦」及び「ＴＶ」のようなコンテクスト項目を購入することができる。その場合、平日の朝に主婦がＴＶを利用すれば、主婦のＴＶに「朝のドラマＡ」が提供される。
【００５３】
また、サービス提供者３０００は、サーバ２０００から、自体のサービスを提供することができる客体の生成に利用されるテンプレートを受信することができる。また、サービス提供者３０００は、受信されたテンプレートに、自体のサービスに係わるサービス情報を挿入することにより、受信されたテンプレートを編集することができる。また、サービス提供者３０００は、編集されたテンプレートを、サーバ２０００に提供することができる。
【００５４】
図２は、本発明の一実施形態による、サービス利用のための客体提供システムが、デバイス１０００にサービスを提供し、サービス提供者３０００に対する課金額を決定する方法のフローチャートである。
【００５５】
段階Ｓ２００で、サーバ２０００は、第２デバイス１０００−２からコンテクスト情報を受信し、段階Ｓ２０５で、サーバ２０００は、第１デバイス１０００−１からコンテクスト情報を受信する。コンテクスト情報は、デバイス１０００が、いかなる状況でいかなるサービスを利用したかということに係わる情報を意味する。デバイス１０００は、多様な状況で多種のサービスを利用することができ、デバイス１０００のサービス利用状況に係わるコンテクスト情報が、サーバ２０００によって収集される。また、コンテクスト項目は、コンテクスト情報に含まれた細部項目を意味し、例えば、サービスを利用したユーザ、サービスを利用したデバイスの種類、サービス利用時間、サービス利用位置、サービスを共に利用した他のユーザ、及びデバイスで実行されたアプリケーションを含んでもよいが、それらに制限されるものではない。
【００５６】
また、コンテクスト情報は、サービスの利用と係わり、ユーザ（デバイス１０００）とコンピュータ環境との間に係わるユーザ（デバイス１０００）の環境、客体、状態に係わる状況を特徴づけるあらゆる情報を含んでもよい。また、コンテクスト情報は、サーバ２０００によって抽象化され、抽象化された程度によって多種に区別される。
【００５７】
また、コンテクスト情報は、デバイス１０００に含まれたセンサから収集されたセンサデータ、及びデバイス１０００で、ユーザ入力によって動作された応用プログラムに係わるデータ、デバイス１０００が利用したクラウドサーバに係わるデータを含んでもよい。
【００５８】
また、図２１でのように、収集されたデータは、例えば、ストリーミング（streaming）情報、イベント情報、そしてウェブサービス（クラウドコンピュータ）情報を含んでもよい。
【００５９】
ストリーミング情報は、リアルタイムで収集される情報であり、例えば、デバイス１０００からリアルタイムで収集されるセンサデータを含んでもよい。また、イベント情報は、イベント発生によって生成される情報であり、例えば、デバイス１０００の設定変更に係わるデータを含んでもよい。また、ウェブサービス情報は、デバイス１０００のウェブサービス利用に係わる情報であり、デバイス１０００が多様なウェブ資源（例えば、クラウドサーバ）にアクセスして利用した多様なコンテンツに係わる情報を含んでもよい。ウェブサービス情報は、ウェブ資源から提供される膨大な情報を含んでもよく、それによって、クラウドコンピュータ方式を介して、ウェブサービス情報がアップデートされる。
【００６０】
段階Ｓ２１０で、サーバ２０００は、コンテクスト情報をモデリングすることにより、コンテクストモデルを生成する。サーバ２０００は、サービスの種類別に、コンテクスト項目の選択により、コンテクスト情報をモデリングすることができる。サーバ２０００は、所定のサービスについて、例えば、サービスを利用したユーザ、サービスを利用したデバイスの種類、サービス利用時間、サービス利用位置、サービスを共に利用した他のユーザ、及びデバイスで実行されたアプリケーションのうち少なくとも一つを選択することができる。例えば、平日の朝に主婦がＴＶを利用して、朝のドラマを多く視聴する場合、サーバ２０００は、「朝ドラマの放送サービス」について、「平日の朝」、「主婦」及び「ＴＶ」のようなコンテクスト項目を選択することができる。
【００６１】
また、サーバ２０００は、サービスの種類と、選択されたコンテクスト項目とをマッチングさせることができる。例えば、サーバ２０００は、「朝ドラマの放送サービス」に対して、「平日の朝」、「主婦」及び「ＴＶ」をマッチングさせることにより、コンテクストモデルを生成することができる。コンテクストモデルは、サービス提供者３０００が、自体のサービスを、いかなるコンテクスト項目とマッチングさせるかということを決定するところに利用される。
【００６２】
一方、段階Ｓ２１０で、サーバ２０００は、所定のコンテクスト・エンジン（図示せず）を利用して、コンテクスト情報をモデリングすることができる。サーバ２０００は、収集されたコンテクスト情報を多様な方法で推論し、コンテクストモデルを生成することができる。サーバ２０００は、例えば、オントロジー（ontology）基盤方式、確率基盤方式のうち少なくとも一つを利用して、コンテクスト情報をモデリングすることができる。
【００６３】
また、サーバ２０００は、コンテクスト情報を、動的情報及び静的情報に区別して保存することができ、コンテクスト情報の少なくとも一部を、所定の規則によって抽象化することができる。コンテクスト情報は、例えば、実際（concrete）コンテクスト情報、基本（basis）コンテクスト情報、及び抽象化（abstract）コンテクスト情報を含んでもよい。実際コンテクスト情報は、加工されていないデータであり、デバイス１０００に内蔵されたセンサ、応用プログラムまたはクラウドサーバを介して収集されたデータでもある。実際コンテクスト情報は、例えば、ＧＰＳの緯度／経度値、Ｗｉ−Ｆｉ（wireless fidelity） ＳＳＩＤ（service set identifier）を含んでもよい。また、図２１のテーブルに含まれた情報が、実際コンテクスト情報でもある。また、基本コンテクスト情報は、所定の時間の間収集された実際コンテクスト情報を分析し、統計的なデータとして識別したコンテクストでもある。また、抽象化コンテクスト情報は、実際コンテクスト情報と、基本コンテクスト情報とから推論された情報である。抽象化コンテクスト情報は、ドメインに従属的でもある。また、サーバ２０００は、コンテクスト情報から、抽象化コンテクスト情報を推論することができる。例えば、ＸＸＸ実際コンテクストの現在位置であるＧＰＳ（３７．５１１２３８，１２７．０５９６０２）は、「三星ＫＯＥＸ」と識別され、ユーザが登録した日程の場所と時間とが類似していると判断される。また、基本コンテクストのＧＰＳと、accelerometerデータとを分析し、デバイス１０００が停止した状態が所定時間の間持続すると判断されもする。また、ユーザの日程に登録された参加者のデバイスのブルートゥースＩＤ（identification）が認知されもする。その場合、サーバ２０００は、ユーザが「妨害されたくない状況である」と推論してもよい。
【００６４】
また、サーバ２０００は、実際コンテクスト情報、基本コンテクスト情報及び抽象化コンテクスト情報を利用して、コンテクスト項目を区別し、コンテクスト項目及び所定のサービスをマッチングさせ、コンテクストモデルを生成することができる。
【００６５】
段階Ｓ２１５で、サービス提供者３０００は、コンテクスト項目の購入を、サーバ２０００に要請することができる。サービス提供者３０００は、コンテクストモデルに係わる情報を、サーバ２０００から受信し、受信されたコンテクストモデルに基づいて、自体のサービスにマッチングさせるコンテクスト項目を決定することができる。サービス提供者３０００は、コンテクストモデルを選択することにより、コンテクストモデルに含まれたコンテクスト項目をいずれも選択することができる。また、サービス提供者３０００は、コンテクストモデルに含まれたコンテクスト項目のうち一部を選択することもできる。また、サービス提供者３０００は、選択されたコンテクスト項目の識別値またはコンテクストモデルの識別値をサーバ２０００に提供し、選択されたコンテクスト項目の購入を、サーバ２０００に要請することができる。また、サービス提供者３０００は、決定されたコンテクスト項目の購入を要請しながら、客体提供による課金に係わる課金方式に係わる情報を、サーバ２０００に提供することができる。課金方式は、例えば、競売方式、共同購入方式、独占購入方式、客体の露出程度によって課金する方式、及び客体を介したサービス利用によって課金する方式のうち少なくとも一つを含んでもよいが、それらに制限されるものではない。
【００６６】
段階Ｓ２２０で、サーバ２０００は、サービス提供者３０００のサービスをコンテクスト項目とマッチングさせる。サーバ２０００は、サービス提供者３０００のサービスを、サービス提供者３０００によって購入されたコンテクスト項目とマッチングさせる。サーバ２０００は、サービス提供者３０００によって選択されたコンテクスト項目に対するサービス提供者３０００の購入を確定し、サービス提供者３０００によって選択されたコンテクスト項目を、サービス提供者３０００のサービスとマッチングさせることができる。例えば、サーバ２０００は、サービス提供者３０００のサービスである「朝のドラマＡ」を、「平日の朝」、「主婦」、「ＴＶ」のようなコンテクスト項目とマッチングさせることができる。
【００６７】
段階Ｓ２２５で、サーバ２０００は、サービス提供者３０００に対する課金方式を決定する。サーバ２０００は、サービス提供者３０００から提供された課金方式に係わる情報に基づいて、サービス提供者３０００に対する課金方式を決定することができる。
【００６８】
例えば、サービス提供者３０００が、「サービスの種類Ａ」に係わるコンテクスト項目Ａ，Ｂ，Ｃを、競売方式で購入要請したとするならば、サーバ２０００は、サービス提供者３０００の入札金額を、「サービスの種類Ａ」に係わるコンテクスト項目Ａ，Ｂ，Ｃを、競売方式で購入要請した他のサービス提供者（図示せず）の入札金額と比較することができる。また、サービス提供者３０００の入札金額が、他のサービス提供者（図示せず）の入札金額より高価である場合、サーバ２０００は、サービス提供者３０００に対して、サービス提供者３０００が提示した入札金額によって課金することを決定することができる。
【００６９】
また、例えば、サービス提供者３０００が「サービスの種類Ａ」に係わるコンテクスト項目Ａ，Ｂ，Ｃを、共同購入方式で購入要請したとするならば、サーバ２０００は、サービス提供者３０００の購入金額を、「サービスの種類Ａ」に係わるコンテクスト項目Ａ，Ｂ，Ｃを、共同購入方式で購入要請した他のサービス提供者（図示せず）の購入金額と比較することができる。また、サーバ２０００は、サービス提供者３０００の入札金額が、他のサービス提供者（図示せず）の入札金額に基づいて、サービス提供者３０００のサービスを利用するための客体、及び他のサービス提供者（図示せず）のサービスを利用するための客体の露出確率を決定することができる。また、サーバ２０００は、サービス提供者３０００のサービスを含む客体の露出比率、及びサービス提供者３０００が提示した購入金額に基づいて、サービス提供者３０００に対して課金することを決定することができる。
【００７０】
段階Ｓ２３０で、サーバ２０００は、サービス提供者３０００のサービスを利用するための客体を生成する。客体は、サービス提供者３０００のサービスを利用するためのユーザ・インターフェースを意味する。客体は、少なくとも１つのサービス提供者３０００から、サービス提供者３０００のサービスを提供されるための少なくとも１つのリンク情報を含んでもよい。
【００７１】
サーバ２０００は、客体生成に利用される既設定のテンプレートを、サービス提供者３０００に提供し、サービス提供者３０００によって編集されたテンプレートを、サービス提供者３０００から受信することができる。
【００７２】
その場合、サーバ２０００は、テンプレートを編集するための編集ツールを、サービス提供者３０００に提供することができ、サービス提供者３０００は、編集ツールを利用して、テンプレートに、自体のサービスに係わるサービス情報を挿入することができる。サービス情報は、サービス提供者３０００のサービスに係わる情報であり、例えば、サービスの題目、サービスに係わるコンテンツをダウンロードするためのリンクアドレス及びサービスに係わるイメージを含んでもよいが、それらに制限されるものではない。
【００７３】
また、サーバ２０００は、サービス提供者３０００から受信された編集されたテンプレートを利用して、サービス提供者３０００のサービスを利用するための客体を生成することができる。また、サーバ２０００は、サービス提供者３０００のサービスを利用するための客体を、デバイス１０００に推薦する根拠に係わる情報を、客体に挿入することができる。また、サーバ２０００は、サービス提供者３０００から受信されたテンプレート、及び少なくとも１つの他のサービス提供者（図示せず）から受信されたテンプレートを組み合わせ、客体を生成することもできる。しかし、サービス提供者３０００が、独占購入方式でコンテクスト項目を購入した場合には、サーバ２０００は、客体に、他のサービス提供者（図示せず）のテンプレートを含めない。
【００７４】
また、サーバ２０００は、生成された客体を、サービス提供者３０００が購入したコンテクスト項目にマッチングさせることができる。
【００７５】
段階Ｓ２３５で、サーバ２０００は、デバイス１０００の現在状況を決定する。サーバ２０００は、例えば、デバイス１０００のユーザ、デバイス１０００の種類、デバイス１０００の位置、現在時刻、曜日、デバイス１０００で実行中であるアプリケーションをモニタリングすることにより、デバイス１０００の現在状況を決定することができる。
【００７６】
段階Ｓ２４０で、サーバ２０００は、客体を第１デバイス１０００−１に提供する。サーバ２０００は、サービス提供者３０００が購入したコンテクスト項目を、デバイス１０００の現在状況と比較し、比較結果に基づいて、客体をデバイス１０００に提供することができる。サーバ２０００は、サービス提供者３０００が購入したコンテクスト項目が、第１デバイス１０００−１の現在状況と同一であるか、あるいは類似している場合、第１デバイス１０００−１に、サービス提供者３０００のサービスを利用するための客体を提供することができる。
【００７７】
段階Ｓ２４５で、第１デバイス１０００−１は受信された客体を利用して、サービス提供者３０００が提供するサービスを利用する。客体は、サービス提供者３０００が提供するサービスと係わるデータを受信するためのリンク情報を含み、第１デバイス１０００−１は、客体に含まれたリンク情報を利用して、サービス提供者３０００からサービスを提供される。
【００７８】
また、第１デバイス１０００−１は、客体及びサービス利用に係わる情報を、サーバ２０００に提供することができる。第１デバイス１０００−１は、例えば、客体の実行回数、客体を介してサービス提供者３０００のサービスを利用した回数、サービス提供者３０００のサービスを利用して、所定のデータ、アイテム及び物品を購入した回数、並びに購入金額に係わる情報を、サーバ２０００に提供することができる。
【００７９】
段階Ｓ２５０で、サーバ２０００は、サービス提供者３０００に対する課金額を算出する。サーバ２０００は、サービス提供者３０００の課金方式、サービス提供者３０００の客体提供回数、サービス提供者３０００の客体がデバイス１０００によって実行された回数、サービス提供者３０００の客体を利用したデバイス１０００のサービス利用回数、及びサービス提供者３０００の客体を利用したデバイス１０００のサービス利用金額に係わる情報に基づいて、サービス提供者に賦課する課金額を算出することができる。
【００８０】
図３は、本発明の一実施形態によるサーバ２０００が、コンテクスト情報をモデリングする方法のフローチャートである。
【００８１】
段階Ｓ３００で、サーバ２０００は、第２デバイス１０００−２からコンテクスト情報を受信し、段階Ｓ３０５で、サーバ２０００は、第１デバイス１０００−１から、コンテクスト情報を受信する。コンテクスト情報は、デバイス１０００が、いかなる状況でいかなるサービスを利用したかということに係わる情報を意味する。デバイス１０００は、多様な状況で多種のサービスを利用することができ、デバイス１０００のサービス利用状況に係わるコンテクスト情報が、サーバ２０００によって収集される。また、コンテクスト項目は、コンテクスト情報に含まれた細部項目を意味し、例えば、サービスを利用したユーザ、サービスを利用したデバイスの種類、サービス利用時間、サービス利用位置、サービスを共に利用した他のユーザ、及びデバイスで実行されたアプリケーションを含んでもよいが、それらに制限されるものではない。
【００８２】
段階Ｓ３１０で、サーバ２０００は、コンテクスト情報に基づいて、サービスの種類別に、コンテクスト項目を推薦する。サーバ２０００は、サービスが、既設定の回数以上利用された状況を判断することができ、利用された状況に基づいて、少なくとも１つのコンテクスト項目を推薦することができる。サーバ２０００は、所定のサービスについて、例えば、サービスを利用したユーザ、サービスを利用したデバイスの種類、サービス利用時間、サービス利用位置、サービスを共に利用した他のユーザ、及びデバイスで実行されたアプリケーションのうち少なくとも一つを推薦することができる。例えば、平日の朝に主婦がＴＶを利用して、朝のドラマを視聴した回数が既設定の回数以上である場合、サーバ２０００は、「朝ドラマの放送サービス」について、「平日の朝」、「主婦」及び「ＴＶ」のようなコンテクスト項目を推薦することができる。また、例えば、ユーザが学校におり、学校で撮影中である写真を友人と共に共有した回数が、既設定の回数以上である場合、サーバ２０００は、「写真共有サービス」について、「学校」、「友人」、「現在」のようなコンテクスト項目を推薦することができる。また、例えば、平日の朝に会社員が家の近くでタクシーを利用した回数が、既設定の回数以上である場合、サーバ２０００は、「タクシーおすすめサービス」について、「平日の朝」、「会社員」、「家の近く」のようなコンテクスト項目を推薦することができる。
【００８３】
段階Ｓ３１５で、サーバ２０００は、推薦されたコンテクスト項目を、サービスの種類とマッチングさせ、コンテクストモデルを生成することができる。サーバ２０００は、推薦されたコンテクスト項目のうち少なくとも一つを、サービスの種類とマッチングさせることにより、コンテクストモデルを生成することができる。
【００８４】
例えば、サーバ２０００は、「朝ドラマの放送サービス」を、「平日の朝」、「主婦」及び「ＴＶ」のうち少なくとも一つとマッチングさせることにより、コンテクストモデルを生成することができる。また、例えば、サーバ２０００は、「写真共有サービス」を、「学校」、「友人」、「現在」のうち少なくとも一つとマッチングさせることにより、コンテクストモデルを生成することができる。また、例えば、サーバ２０００は、「タクシーおすすめサービス」を、「平日の朝」、「会社員」、「家の近く」のうち少なくとも一つとマッチングさせることにより、コンテクストモデルを生成することができる。
【００８５】
また、生成されたコンテクストモデルに係わる情報は、サービス提供者３０００に提供され、サービス提供者３０００が、自体のサービスをいかなるコンテクスト項目とマッチングさせるかということを決定するために、コンテクストモデルを利用することができる。
【００８６】
図４は、本発明の一実施形態による、放送サービスに係わって生成されたコンテクストモデルについて説明するための図面である。
【００８７】
図４を参照すれば、コンテクストモデルは、複数のコンテクスト項目、及び前記複数のコンテクスト項目にマッチングされたサービスの種類を含んでもよい。また、コンテクスト項目は、例えば、サービス利用時間に係わる項目、サービスを利用したユーザに係わる項目、サービスを利用したデバイスに係わる項目を含んでもよい。また、サービス利用時間に係わるコンテクスト項目は、例えば、「平日の朝」、「週末の午後」、「週末の夕方」及び「夜間」を含んでもよい。また、サービスを利用したユーザに係わるコンテクスト項目は、例えば、「主婦」、「学生（１０代）」、「学生（２０代）」及び「男性」を含んでもよい。また、サービスを利用したデバイスに係わるコンテクスト項目は、例えば、「モバイルデバイス」、「ＴＶ」及び「ＰＣ（personal computer）」を含んでもよい。
【００８８】
また、放送サービスに係わるサービスの種類は、例えば、「朝のドラマ」、「コメディーショー」、「英語講義」及び「野球中継」を含んでもよい。
【００８９】
また、サーバ２０００は、それぞれのサービスが、既設定の回数以上利用された状況を判断し、各サービス別にコンテクスト項目を推薦することができる。例えば、サーバ２０００は、「朝のドラマ」について、「平日の朝」、「主婦」、「ＴＶ」を推薦することができる。また、例えば、サーバ２０００は、「コメディーショー」について、「週末の夕方」、「学生（１０代及び２０代）」、「モバイルデバイス」を推薦することができる。
【００９０】
また、サーバ２０００は、例えば、「平日の朝」、「主婦」、「ＴＶ」のうち少なくとも一つを「、朝のドラマ」とマッチングさせ、コンテクストモデル１を生成することができる。また、サーバ２０００は、例えば、「週末の夕方」、「学生（１０代及び２０代）」、「モバイルデバイス」を「コメディーショー」とマッチングさせ、コンテクストモデル２を生成することができる。
【００９１】
図５は、本発明の一実施形態による、コンテンツ共有サービスに係わって生成されたコンテクストモデルについて説明するための図面である。
【００９２】
図５を参照すれば、コンテクスト項目は、ユーザの位置に係わる項目、共有者の関係に係わる項目、コンテンツ生成位置に係わる項目、及びコンテンツ生成時間に係わる項目を含んでもよい。また、ユーザの位置に係わるコンテクスト項目は、例えば、「どこでも」及び「学校」を含んでもよい。また、共有者の関係に係わるコンテクスト項目は、例えば、「友人」を含んでもよい。また、コンテンツ生成位置に係わるコンテクスト項目は、例えば、「ユーザの周辺」及び「学校」を含んでもよい。また、コンテンツ生成時間に係わるコンテクスト項目は、例えば、「過去」及び「現在」を含んでもよい。
【００９３】
また、コンテンツの共有に係わるサービスの種類は、例えば、「メッセージ共有」及び「写真共有」を含んでもよい。
【００９４】
また、サーバ２０００は、それぞれのサービスが、既設定の回数以上利用された状況を判断し、各サービス別にコンテクスト項目を推薦することができる。例えば、サーバ２０００は、「メッセージ共有」について、「どこでも」、「友人」、「ユーザの周辺」、「過去」を推薦することができる。また、例えば、サーバ２０００は、「写真共有」について、「学校」、「友人」、「学校」、「現在」を推薦することができる。
【００９５】
また、サーバ２０００は、例えば、「どこでも」、「友人」、「ユーザの周辺」、「過去」のうち少なくとも一つを「メッセージ共有」とマッチングさせ、コンテクストモデル５を生成することができる。また、サーバ２０００は、例えば、「学校」、「友人」、「学校」、「現在」のうち少なくとも一つを「写真共有」とマッチングさせ、コンテクストモデル６を生成することができる。
【００９６】
図６は、本発明の一実施形態によるタクシーおすすめサービスに係わって生成されたコンテクストモデルについて説明するための図面である。
【００９７】
図６を参照すれば、コンテクスト項目は、サービス利用時間に係わる項目、サービスを利用するユーザに係わる項目、サービス利用位置に係わる項目を含んでもよい。また、サービス利用時間に係わるコンテクスト項目は、例えば、「平日の朝」、「金曜日の夜」を含んでもよい。また、サービスを利用するユーザに係わるコンテクスト項目は、例えば、「女性」及び「会社員」を含んでもよい。また、サービス利用位置に係わるコンテクスト項目は、例えば、「江南駅」及び「家の近く」を含んでもよい。
【００９８】
また、サーバ２０００は、タクシーおすすめサービスが既設定の回数以上利用された状況を判断し、タクシーおすすめサービスについてコンテクスト項目を推薦することができる。例えば、サーバ２０００は、タクシーおすすめサービスについて、「金曜日の夜」、「女性」及び「江南駅」を推薦することができる。また、例えば、サーバ２０００は、タクシーおすすめサービスについて、「平日の朝」、「会社員」及び「家の近く」を推薦することができる。
【００９９】
また、例えば、サーバ２０００は、「金曜日の夜」、「女性」及び「江南駅」のうち少なくとも一つを、タクシーおすすめサービスにマッチングさせ、コンテクストモデル７を生成することができる。また、例えば、サーバ２０００は、「平日の朝」、「会社員」及び「家の近く」のうち少なくとも一つを、タクシーおすすめサービスにマッチングさせ、コンテクストモデル８を生成することができる。
【０１００】
図７は、本発明の一実施形態によるサービス提供者３０００が、コンテクスト項目を購入する方法のフローチャートである。
【０１０１】
段階Ｓ７００で、サーバ２０００は、サービス提供者３０００に、コンテクストモデルに係わる情報を提供する。コンテクストモデルに係わる情報は、サービスの種類、及びサーバ２０００によって選択されたコンテクスト項目のマッチングに係わる情報を含んでもよい。また、サーバ２０００は、サービス提供者３０００のサービスと係わるコンテクストモデルを確認し、確認されたコンテクストモデルに係わる情報を、サービス提供者３０００に提供することができる。例えば、サービス提供者３０００が提供するサービスが放送サービスである場合、サーバ２０００は、「朝のドラマ」に係わるコンテクストモデル、「コメディーショー」に係わるコンテクストモデル、「英語講義」に係わるコンテクストモデル、及び「野球中継」に係わるコンテクストモデルのうち少なくとも一つを、サービス提供者３０００に提供することができる。
【０１０２】
段階Ｓ７０５で、サービス提供者３０００は、コンテクストモデルに基づいて、コンテクスト項目を選択する。サービス提供者３０００は、コンテクストモデルを選択することにより、コンテクストモデルに含まれたコンテクスト項目を、いずれも選択することができる。また、サービス提供者３０００は、コンテクストモデルに含まれたコンテクスト項目のうち、一部を選択することもできる。
【０１０３】
サービス提供者３０００は、サービス提供者３０００が提供するサービスのうち少なくとも一つを選択し、選択されたサービスについて、所定のコンテクスト項目を選択することができる。例えば、コンテクストモデルで、「朝ドラマの放送サービス」が「平日の朝」、「主婦」、「ＴＶ」のようなコンテクスト項目とマッチングされた場合、サービス提供者３０００は、サービス提供者３０００の「朝のドラマＡ」を選択し、「朝のドラマＡ」について、「平日の朝」、「主婦」、「ＴＶ」を選択することができる。
【０１０４】
段階Ｓ７１０で、サービス提供者３０００は、選択されたサービスの識別値、及び選択されたコンテクスト項目をサーバ２０００に提供する。また、サービス提供者３０００は、選択されたサービスに係わって選択されたコンテクスト項目の購入を、サーバ２０００に要請することができる。例えば、サービス提供者３０００が、「朝のドラマＡ」を選択し、「朝のドラマＡ」について、「平日の朝」、「主婦」、「ＴＶ」を選択した場合、サービス提供者３０００は、「朝のドラマＡ」、「平日の朝」、「主婦」、「ＴＶ」をサーバ２０００に提供することができる。また、「朝のドラマＡ」、「平日の朝」、「主婦」、「ＴＶ」のようなコンテクスト項目の購入を、サーバ２０００に要請することができる。
【０１０５】
段階Ｓ７１５で、サービス提供者３０００は、課金方式及び購入金額に係わる情報をサーバ２０００に提供する。サービス提供者３０００は、選択されたコンテクスト項目について、いかなる方式で課金し、いかほどの金額を支払うかということに係わる情報をサーバ２０００に提供することができる。サービス提供者３０００によって購入されたコンテクスト項目に基づいて、デバイス１０００に、サービス提供者３０００のサービスが提供されることにより、サーバ２０００は、サービス提供者３０００に、所定の金額を課金することができる。その場合、サービス提供者３０００によって提供された課金方式及び購入金額に基づいて、サーバ２０００は、サービス提供者３０００に課金する課金額を決定することができる。また、課金方式は、例えば、競売方式、共同購入方式、独占購入方式、客体の露出程度によって課金する方式、及び客体を介したサービス利用によって課金する方式のうち少なくとも一つを含んでもよいが、それらに制限されるものではない。
【０１０６】
段階Ｓ７２０で、サーバ２０００は、サービス提供者３０００のサービスを、サービス提供者３０００によって購入されたコンテクスト項目とマッチングさせる。サーバ２０００は、サービス提供者３０００によって選択されたコンテクスト項目に対するサービス提供者３０００の購入を確定し、サービス提供者３０００によって選択されたコンテクスト項目を、サービス提供者３０００によって選択されたサービスとマッチングさせることができる。例えば、サービス提供者３０００が、競売方式を、購入方式として選択したとするならば、他のサービス提供者３０００の入札金額より、サービス提供者３０００の入札金額が高価である場合、サーバ２０００は、サービス提供者３０００にコンテクスト項目を販売することを確定することができる。また、例えば、サーバ２０００は、サービス提供者３０００の「朝のドラマＡ」を、「平日の朝」、「主婦」、「ＴＶ」のようなコンテクスト項目とマッチングさせることができる。
【０１０７】
もしサービス提供者３０００が、共同購入方式を、課金方式として決定したとするならば、サーバ２０００は、サービス提供者３０００のサービスを、サービス提供者３０００によって購入されたコンテクスト項目、及びサービス提供者３０００のサービスの露出確率とマッチングさせることができる。
【０１０８】
図８は、本発明の一実施形態によるサービス提供者３０００が、コンテクストモデルに係わるサービスの種類を決定し、課金方式を決定する一例について説明するための図面である。
【０１０９】
図８を参照すれば、サービス提供者「ＡＡ」は、「朝のドラマ」、「コメディーショー」及び「野球中継」のようなサービス種類を選択することができる。また、サービス提供者「ＡＡ」は、「朝のドラマ」に係わるコンテクスト項目を、競売方式で購入することを決定し、「コメディーショー」に係わるコンテクスト項目は、共同購入方式で購入することを決定することができる。また、サービス提供者「ＡＡ」は、「野球中継」に係わるコンテクスト項目を、サービス利用金額による課金方式で購入することを決定することができる。
【０１１０】
また、サービス提供者「ＢＢ」は、「朝のドラマ」、「コメディーショー」及び「英語講義」のようなサービス種類を選択することができる。また、サービス提供者「ＢＢ」は、「朝のドラマ」に係わるコンテクスト項目を、競売方式で購入することを決定し、「コメディーショー」に係わるコンテクスト項目は、共同購入方式で購入することを決定することができる。また、サービス提供者「ＢＢ」は、「英語講義」に係わるコンテクスト項目を、客体露出による課金方式で購入することを決定することができる。
【０１１１】
図９は、本発明の一実施形態によるサービス提供者３０００が、コンテクストモデルを購入する一例について説明するための図面である。
【０１１２】
図９を参照すれば、サービス提供者「ＡＡ」は、「朝のドラマＡ」を選択し、選択された「朝のドラマＡ」について、「平日の朝」、「主婦」及び「ＴＶ」のようなコンテクスト項目を選択することができる。それにより、平日の朝に主婦がＴＶをＯＮにすれば、サービス提供者「ＡＡ」の「朝のドラマＡ」を視聴することができる客体が、ＴＶにディスプレイされる。
【０１１３】
また、サービス提供者「ＢＢ」は「朝のドラマＢ」を選択し、選択された「朝のドラマＢ」について、「平日の朝」及び「ＴＶ」のようなコンテクスト項目を選択することができる。それにより、平日の朝にだれでもＴＶをＯＮにすれば、サービス提供者「ＢＢ」の「朝のドラマＢ」を視聴することができる客体が、ＴＶにディスプレイされる。
【０１１４】
図１０は、本発明の一実施形態によるサーバ２０００が、競売方式でコンテクスト項目を販売する方法のフローチャートである。
【０１１５】
段階Ｓ１０００で、サーバ２０００は、第１サービス提供者３０００−１に、コンテクストモデルに係わる情報を提供する。コンテクストモデルに係わる情報は、サービスの種類、及びサーバ２０００によって推薦されたコンテクスト項目のマッチングに係わる情報を含んでもよい。また、サーバ２０００は、第１サービス提供者３０００−１が提供するサービスと係わるコンテクストモデルを確認し、確認されたコンテクストモデルに係わる情報を、第１サービス提供者３０００−１に提供することができる。
【０１１６】
段階Ｓ１００５で、第１サービス提供者３０００−１は、コンテクストモデルに基づいて、第１コンテクスト項目を選択する。第１サービス提供者３０００−１は、第１サービス提供者３０００−１が提供するサービスを選択し、選択されたサービスについて、第１コンテクスト項目を選択することができる。
【０１１７】
段階Ｓ１０１０で、サーバ２０００は、第２サービス提供者３０００−２に、コンテクストモデルに係わる情報を提供する。コンテクストモデルに係わる情報は、サービスの種類、及びサーバ２０００によって推薦されたコンテクスト項目のマッチングに係わる情報を含んでもよい。また、サーバ２０００は、第２サービス提供者３０００−２が提供するサービスと係わるコンテクストモデルを確認し、確認されたコンテクストモデルに係わる情報を、第２サービス提供者３０００−２に提供することができる。
【０１１８】
段階Ｓ１０１５で、第２サービス提供者３０００−２は、コンテクストモデルに基づいて、第１コンテクスト項目を選択する。その場合、第２サービス提供者３０００−２が選択した第１コンテクスト項目は、第１サービス提供者３０００−１が選択した第１コンテクスト項目と同一でもある。また、第２サービス提供者３０００−２は、第２サービス提供者３０００−２が提供するサービスを選択し、選択されたサービスについて、第１コンテクスト項目を選択することができる。
【０１１９】
段階Ｓ１０２０で、第１サービス提供者３０００−１は、サーバ２０００に、第１コンテクスト項目に係わる情報を提供し、段階Ｓ１０２５で、第１サービス提供者３０００−１は、第１コンテクスト項目を購入するために、第１購入金額の値を、サーバ２０００に提供することができる。
【０１２０】
段階Ｓ１０３０で、第２サービス提供者３０００−２は、サーバ２０００に、第１コンテクスト項目に係わる情報を提供し、段階Ｓ１０３５で、第２サービス提供者３０００−２は、第１コンテクスト項目を購入するために、第２購入金額の値を、サーバ２０００に提供することができる。
【０１２１】
段階Ｓ１０４０で、サーバ２０００は、第１コンテクスト項目を購入するサービス提供者を決定する。例えば、第１購入金額が、第２購入金額より高価である場合、サーバ２０００は、第１購入金額を提示した第１サービス提供者３０００−１に、第１コンテクスト項目を販売することができる。
【０１２２】
段階Ｓ１０４５で、サーバ２０００は、決定されたサービス提供者のサービスを、第１コンテクスト項目とマッチングさせることができる。例えば、第１購入金額が、第２購入金額より高価である場合、サーバ２０００は、第１サービス提供者３０００−１のサービスを、第１コンテクスト項目とマッチングさせることができる。
【０１２３】
図１１は、本発明の一実施形態によるサーバ２０００が、共同購入方式でコンテクスト項目を販売する方法のフローチャートである。
【０１２４】
段階Ｓ１１００で、サーバ２０００は、第１サービス提供者３０００−１に、コンテクストモデルに係わる情報を提供する。コンテクストモデルに係わる情報は、サービスの種類、及びサーバ２０００によって推薦されたコンテクスト項目のマッチングに係わる情報を含んでもよい。また、サーバ２０００は、第１サービス提供者３０００−１が提供するサービスと係わるコンテクストモデルを確認し、確認されたコンテクストモデルに係わる情報を、第１サービス提供者３０００−１に提供することができる。
【０１２５】
段階Ｓ１１０５で、第１サービス提供者３０００−１は、コンテクストモデルに基づいて、第１コンテクスト項目を選択する。第１サービス提供者３０００−１は、第１サービス提供者３０００−１が提供するサービスを選択し、選択されたサービスについて第２コンテクスト項目を選択することができる。
【０１２６】
段階Ｓ１１１０で、サーバ２０００は、第２サービス提供者３０００−２に、コンテクストモデルに係わる情報を提供する。コンテクストモデルに係わる情報は、サービスの種類、及びサーバ２０００によって推薦されたコンテクスト項目のマッチングに係わる情報を含んでもよい。また、サーバ２０００は、第２サービス提供者３０００−２が提供するサービスと係わるコンテクストモデルを確認し、確認されたコンテクストモデルに係わる情報を、第２サービス提供者３０００−２に提供することができる。
【０１２７】
段階Ｓ１１１５で、第２サービス提供者３０００−２は、コンテクストモデルに基づいて、第１コンテクスト項目を選択する。その場合、第２サービス提供者３０００−２が選択した第１コンテクスト項目は、第１サービス提供者３０００−１が選択した第１コンテクスト項目と同一でもある。また、第２サービス提供者３０００−２は、第２サービス提供者３０００−２が提供するサービスを選択し、選択されたサービスについて第２コンテクスト項目を選択することができる。
【０１２８】
段階Ｓ１１２０で、第１サービス提供者３０００−１は、サーバ２０００に、第２コンテクスト項目に係わる情報を提供し、段階Ｓ１１２５で、第１サービス提供者３０００−１は、第２コンテクスト項目を購入するために、第３購入金額の値をサーバ２０００に提供することができる。
【０１２９】
段階Ｓ１１３０で、第２サービス提供者３０００−２は、サーバ２０００に、第２コンテクスト項目に係わる情報を提供し、段階Ｓ１１３５で、第２サービス提供者３０００−２は、第２コンテクスト項目を購入するために、第４購入金額の値をサーバ２０００に提供することができる。
【０１３０】
段階Ｓ１１４０で、サーバ２０００は、第１サービス提供者３０００−１のサービスを、第２コンテクスト項目とマッチングさせ、第２サービス提供者３０００−２のサービスを、第２コンテクスト項目とマッチングさせる。
【０１３１】
段階Ｓ１１４５で、サーバ２０００は、第３購入金額及び第４購入金額に基づいて、第１サービス提供者３０００−１のサービスを利用するための客体の露出確率、及び第２サービス提供者３０００−２のサービスを利用するための客体の露出確率を決定する。例えば、第１サービス提供者３０００−１の第３購入金額が３０００万ウォンであり、第２サービス提供者３０００−２の第４購入金額が１０００万ウォンでもある。その場合、サーバ２０００は、第１サービス提供者３０００−１のサービスを利用するための客体の露出確率を７５％と決定し、第２サービス提供者３０００−２のサービスを利用するための客体の露出確率を２５％と決定する。
【０１３２】
図１２は、本発明の一実施形態による、共同購入方式によって客体露出確率が決定される一例について説明するための図面である。
【０１３３】
図１２を参照すれば、サービス提供者「ＡＡ」及びサービス提供者「ＢＢ」が、同一のサービス種類及び同一のコンテクスト項目を共同購入することができる。例えば、サービス提供者「ＡＡ」及びサービス提供者「ＢＢ」が、「朝のドラマ」を選択し、「平日の朝」、「主婦」、「ＴＶ」をコンテクスト項目として選択することができる。また、サービス提供者「ＡＡ」の購入金額が３，０００万ウォンであり、サービス提供者「ＢＢ」の購入金額が１，０００万ウォンでもある。
【０１３４】
また、サーバ２０００は、サービス提供者「ＡＡ」の購入金額及びサービス提供者「ＢＢ」の購入金額に基づいて、サービス提供者「ＡＡ」の朝ドラマを視聴するための客体の露出確率を７５％と決定し、サービス提供者「ＢＢ」の朝ドラマを視聴するための客体の露出確率を２５％と決定することができる。その場合、サーバ２０００は、平日の朝に主婦がＴＶをＯＮにすれば、サービス提供者「ＡＡ」の朝ドラマを視聴するための客体を、７５％の確率でＴＶに提供し、サービス提供者「ＢＢ」の朝ドラマを視聴するための客体を、２５％の確率でＴＶに提供することができる。
【０１３５】
図１３は、本発明の一実施形態によるサーバ２０００が、サービス提供者「ＡＡ」の朝ドラマ「ａａ」、及びサービス提供者「ＢＢ」の朝ドラマ「ｂｂ」を提供する一例を図示した図面である。図１３で、サービス提供者「ＡＡ」及びサービス提供者「ＢＢ」は、図１２でのように、コンテクスト項目を共同購入することができる。
【０１３６】
図１３を参照すれば、会社員Ａ、会社員Ｂ、主婦Ａ、主婦Ｂ、主婦Ｃ、主婦Ｄ及び学生Ａが、平日の朝にＴＶをＯＮにする。その場合、サーバ２０００は、主婦４人のうち７５％である主婦３人のＴＶに、サービス提供者「ＡＡ」のサービスを提供する客体を提供し、主婦４人のうち１５％である主婦１人のＴＶに、サービス提供者「ＢＢ」のサービスを提供する客体を提供することができる。例えば、サーバ２０００は、主婦Ａ、主婦Ｂ及び主婦ＣのＴＶに、サービス提供者「ＡＡ」のサービスを提供する客体を提供し、主婦ＤのＴＶに,サービス提供者「ＢＢ」のサービスを提供する客体を提供することができる。
【０１３７】
また、主婦Ａ、主婦Ｂ及び主婦ＣのＴＶは、提供された客体を利用して、サービス提供者「ＡＡ」から、朝のドラマ「ａａ」を受信することができ、主婦ＤのＴＶは、提供された客体を利用して、サービス提供者「ＢＢ」から、朝のドラマ「ｂｂ」を受信することができる。
【０１３８】
図１４は、本発明の一実施形態による、サーバ２０００がサービス提供者３０００のサービスを利用するための客体を生成する方法のフローチャートである。
【０１３９】
段階Ｓ１４００で、サーバ２０００は、客体生成のためのテンプレートを、サービス提供者３０００に提供する。客体生成のためのテンプレートは、複数の領域を含んでもよく、例えば、サービスに係わる説明を挿入するための領域、サービスに係わるイメージを挿入するための領域、サービスを利用するためのメニュー、及びアイコンを挿入するための領域を含んでもよいが、それらに制限されるものではない。また、サーバ２０００は、客体生成のためのテンプレートの構造を、サービスの種類によって、あらかじめ決定することができる。
【０１４０】
また、テンプレートは、ユーザまたはデバイス１０００によって、あらかじめ決定されてもよい。サーバ２０００は、ユーザの趣向によって、ユーザのデバイス１０００に提供するテンプレートをあらかじめ決定し、決定されたテンプレートを、サービス提供者３０００に提供することができる。
【０１４１】
段階Ｓ１４０５で、サーバ２０００は、テンプレートを編集するための編集ツールをサービス提供者３０００に提供する。
【０１４２】
段階Ｓ１４１０で、サービス提供者３０００は、サーバ２０００から受信されたテンプレートに、サービス提供者３０００のサービスに係わるサービス情報を挿入する。サービス提供者３０００は、サーバ２０００から受信された編集ツールを利用して、テンプレートを編集することができる。サービス提供者３０００は、編集ツールを利用して、テンプレートに含まれた各領域に、サービス情報を挿入することができる。サービス情報は、サービス提供者３０００のサービスに係わる情報であり、例えば、サービスの題目、サービスに係わるコンテンツをダウンロードするためのリンクアドレス、サービスに係わるイメージ、及びサービス提供のためのアクティビティ情報を含んでもよいが、それらに制限されるものではない。
【０１４３】
段階Ｓ１４１５で、サービス提供者３０００は、サービス情報が挿入されたテンプレートをサーバ２０００に提供する。
【０１４４】
段階Ｓ１４２０で、サーバ２０００は、サービス情報が挿入されたテンプレートに、サービスおすすめ根拠を挿入する。サーバ２０００は、サービス提供者３０００のサービスをデバイス１０００に推薦する根拠を、サービス提供者３０００から受信されたテンプレートに挿入することができる。また、おすすめ根拠が挿入されたテンプレートを利用して、客体を生成することができる。また、客体には、サービス提供者３０００のサービスを利用するためのテンプレートだけが含まれもするが、それに制限されるものではない。客体には、サービス提供者３０００のサービスを利用するためのテンプレート、及び他のサービス提供者（図示せず）のサービスを利用するためのテンプレートが共に含まれもする。また、例えば、サーバ２０００は、サービスによって提供されるコンテンツが生成された日付、時刻及び位置；ユーザのコンテンツの使用履歴；コンテンツのユーザと、デバイス１０００のユーザとの関係に基づいて、おすすめ根拠を生成したり、あるいは選択することができる。その場合、コンテンツが生成された日付、時刻及び位置は、コンテンツのメタデータから獲得される。また、コンテンツのユーザと、デバイス１０００のユーザとの関係は、ＳＮＳ（social networking service）サーバに保存された関係情報、ユーザ間のメッセージ伝送履歴、ユーザ間のコンテンツ共有履歴に基づいて確認されるが、それらに制限されるものではない。
【０１４５】
図１５は、本発明の一実施形態による、サービス利用のための客体の一例を図示した図面である。
【０１４６】
図１５に図示されているように、本発明の一実施形態による客体には、第１サービス提供者３０００−１のサービス情報が挿入されたテンプレート５０、第２サービス提供者３０００−２のサービス情報が挿入されたテンプレート５２、及び第３サービス提供者（図示せず）のサービス情報が挿入されたテンプレート５４が共に含まれる。客体は、ユーザがデバイス１０００の上端バーをタッチしてドラッグすることにより、デバイス１０００の画面に表示されるが、それに制限されるものではない。客体は、デバイス１０００のロック解除画面に表示されもする。また、客体は、所定のイベントが生じた場合、デバイス１０００の画面に、ポップアップウィンドーを介して表示されてもよい。
【０１４７】
図１６は、本発明の一実施形態による、サーバ２０００がサービス提供者３０００に対する課金額を算出する方法のフローチャートである。
【０１４８】
段階Ｓ１６００で、サーバ２０００は、デバイス１０００に客体を提供する。サーバ２０００は、デバイス１０００の現在状況をモニタリングすることができ、デバイス１０００の現在状況に対応するコンテクスト項目を確認することができる。デバイス１０００の現在状況に対応するコンテクスト項目は、デバイス１０００の現在状況と同一であるか、あるいは類似しているコンテクスト項目でもある。また、サーバ２０００は、確認されたコンテクスト項目を購入したサービス提供者３０００を確認し、確認されたサービス提供者３０００のサービスを利用するための客体を、デバイス１０００に提供することができる。
【０１４９】
段階Ｓ１６０５で、サーバ２０００は、客体提供回数をカウントする。サーバ２０００は、サービス提供者３０００のサービス別に、デバイス１０００に客体を提供した回数をカウントすることができる。
【０１５０】
段階Ｓ１６１０で、デバイス１０００は、受信された客体を利用する。デバイス１０００は、デバイス１０００のホストプログラムを利用して、サーバ２０００から受信された客体をディスプレイすることができ、ユーザが、ディスプレイされた客体をクリックすることにより、デバイス１０００は、受信された客体を利用することができる。その場合、デバイス１０００は、デバイス１０００のホストプログラムを利用して、客体をディスプレイすることができる。また、デバイス１０００は、受信された客体のクリック数をカウントすることができる。客体のクリックは、ユーザが所定の入力装置を介して客体を選択したり、あるいはユーザが、手または入力ツールを利用して、客体をタッチすることを含む。
【０１５１】
段階Ｓ１６１５で、デバイス１０００は、実行された客体を介して、サービス提供者３０００のサービスを利用する。デバイス１０００は、実行された客体を介して、サービス提供者３０００からサービスを提供され、提供されたサービスを介して、所定のコンテンツ、データ及び物品を購入することができる。また、デバイス１０００は、サービス提供者３０００のサービスを利用した回数、サービス利用金額を算出することができる。また、デバイス１０００は、サービス提供者３０００のサービスを介したコンテンツ、データ及び物品の購入金額を算出することができる。
【０１５２】
段階Ｓ１６２０で、デバイス１０００は、サーバ２０００に、サービス利用に係わる情報を提供する。デバイス１０００は、客体のクリック数、客体の実行回数、サービス利用回数、サービス利用金額、並びにサービスを介したコンテンツ、データ及び物品の購入金額に係わる情報をサーバ２０００に提供することができる。
【０１５３】
しかし、それらに制限されるものではなく、サーバ２０００またはサービス提供者３０００が、客体の実行回数、サービス利用回数、サービス利用金額、並びにサービスを介したコンテンツ、データ及び物品の購入金額に係わる情報を別途に収集することができる。
【０１５４】
段階Ｓ１６２５で、サーバ２０００は、サービス提供者３０００に対する課金額を算出する。サーバ２０００は、サービス提供者３０００の課金方式を確認し、確認された課金方式により、サービス提供者に課金する課金額を算出することができる。
【０１５５】
サービス提供者３０００の課金方式が、競売方式または独占購入方式である場合、サーバ２０００は、サービス提供者３０００が提示した購入金額を課金額として決定することができる。また、サービス提供者３０００の課金方式が、共同購入方式である場合、サーバ２０００は、サービス提供者３０００の客体の露出確率、及びサービス提供者３０００が提示した購入金額を乗じた金額を、課金額として決定することができる。
【０１５６】
また、サービス提供者３０００の課金方式が、客体の露出程度によって課金する方式である場合、サーバ２０００は、客体の提供回数、客体のクリック数、客体の実行回数のうち少なくとも一つに基づいて、課金額を算出することができる。その場合、客体の提供回数当たり課金する金額、客体のクリック当たり課金する金額、及び客体の実行回数当たり課金する金額があらかじめ設定されている。
【０１５７】
また、サービス提供者３０００の課金方式が、客体を介したサービス利用によって課金する方式である場合、サーバ２０００は、サービス利用料金；サービスを介したコンテンツ、データ及び物品の購入金額のうち少なくとも一つに基づいて、課金額を決定することができる。例えば、サーバ２０００は、サービス利用料金；サービスを介したコンテンツ、データ及び物品の購入金額に対して、所定の比率で手数料を算出し、算出された手数料を課金額として決定することができる。
【０１５８】
図１７は、本発明の一実施形態によるサーバ２０００のブロック図である。
【０１５９】
図１７に図示されているように、本発明の一実施形態によるサーバ２０００は、コンテクスト情報収集部２１００、コンテクストモデル提供部２２００、購入要請受信部２３００、課金方式決定部２４００、客体生成部２５００、客体提供部２６００、課金額決定部２７００、ＤＢ（database）２８００、通信部２９００及び制御部２９５０を含む。
【０１６０】
コンテクスト情報収集部２１００は、少なくとも１つのデバイス１０００から、コンテクスト情報を収集する。コンテクスト情報収集部２１００は、コンテクストモデルを生成するためにコンテクスト情報を受信することができる。また、コンテクスト情報収集部２１００は、デバイス１０００の現在状況を決定するために、コンテクスト情報を受信することができる。コンテクスト情報は、デバイス１０００が、いかなる状況でいかなるサービスを利用したかということに係わる情報を意味する。デバイス１０００は、多様な状況で多種のサービスを利用することができ、デバイス１０００のサービス利用状況に係わるコンテクスト情報が、コンテクスト情報収集部２１００によって収集される。また、コンテクスト項目は、コンテクストモデルに含まれた細部項目を意味し、例えば、サービスを利用したユーザ、サービスを利用したデバイスの種類、サービス利用時間、サービス利用位置、サービスを共に利用した他のユーザ、及びデバイスで実行されたアプリケーションを含んでもよいが、それらに制限されるものではない。
【０１６１】
コンテクストモデル提供部２２００は、コンテクスト情報をモデリングし、コンテクストモデルを、サービス提供者３０００に提供する。コンテクストモデル提供部２２００は、サービスの種類別に、コンテクスト項目を推薦することにより、コンテクストモデルを生成することができる。コンテクストモデル提供部２２００は、所定のサービスについて、例えば、サービスを利用したユーザ、サービスを利用したデバイスの種類、サービス利用時間、サービス利用位置、サービスを共に利用した他のユーザ、及びデバイスで実行されたアプリケーションのうち少なくとも一つを推薦することができる。例えば、平日の朝に主婦がＴＶを利用して、朝のドラマを多く視聴する場合、コンテクストモデル提供部２２００は、「朝ドラマの放送サービス」について、「平日の朝」、「主婦」及び「ＴＶ」のようなコンテクスト項目を推薦することができる。
【０１６２】
また、コンテクストモデル提供部２２００は、サービスの種類と、推薦されたコンテクスト項目とをマッチングさせることにより、コンテクストモデルを生成することができる。例えば、コンテクストモデル提供部２２００は、「朝ドラマの放送サービス」に対して、「平日の朝」、「主婦」及び「ＴＶ」をマッチングさせることにより、コンテクストモデルを生成することができる。コンテクストモデルは、サービス提供者３０００が、自体のサービスをいかなるコンテクスト項目とマッチングさせるかということを決定するところに利用される。
【０１６３】
また、コンテクストモデル提供部２２００は、コンテクスト情報、及び生成されたコンテクストモデルのうち少なくとも一つを、サービス提供者３０００に提供することができる。
【０１６４】
購入要請受信部２３００は、サービス提供者３０００によって選択されたコンテクストモデルに対する購入要請を、サービス提供者３０００から受信する。サービス提供者３０００は、コンテクストモデル提供部２２００から受信されたコンテクストモデルのうち、自体のサービスにマッチングさせる所定のコンテクストモデルを選択することができ、選択されたコンテクストモデルに係わる情報を、購入要請受信部２３００に提供することができる。また、サービス提供者３０００は、コンテクストモデル提供部２２００から受信されたコンテクストモデルに含まれたコンテクスト項目のうち、所定のコンテクスト項目を選択することができ、選択されたコンテクスト項目に係わる情報を、購入要請受信部２３００に提供することができる。
【０１６５】
購入要請受信部２３００は、サービス提供者３０００のサービスを、コンテクスト項目とマッチングさせる。購入要請受信部２３００は、サービス提供者３０００から、コンテクスト項目の購入要請を受信し、サービス提供者３０００のサービスを、サービス提供者３０００によって購入されたコンテクスト項目とマッチングさせることができる。また、購入要請受信部２３００は、サービス提供者３０００によって選択されたコンテクスト項目に対するサービス提供者３０００の購入を確定し、サービス提供者３０００によって選択されたコンテクスト項目を、サービス提供者３０００のサービスとマッチングさせることができる。例えば、購入要請受信部２３００は、サービス提供者３０００のサービスである「朝のドラマＡ」を、「平日の朝」、「主婦」、「ＴＶ」のようなコンテクスト項目とマッチングさせることができる。
【０１６６】
課金方式決定部２４００は、サービス提供者３０００に対する課金方式を決定する。課金方式決定部２４００は、サービス提供者３０００から提供された課金方式に係わる情報に基づいて、サービス提供者３０００に対する課金方式を決定することができる。
【０１６７】
例えば、サービス提供者３０００が「サービスの種類Ａ」に係わるコンテクスト項目Ａ，Ｂ，Ｃを、競売方式で購入要請したとするならば、課金方式決定部２４００は、サービス提供者３０００の入札金額を、「サービスの種類Ａ」に係わるコンテクスト項目Ａ，Ｂ，Ｃを競売方式で購入要請した他のサービス提供者（図示せず）の入札金額と比較することができる。また、サービス提供者３０００の入札金額が、他のサービス提供者（図示せず）の入札金額より高価である場合、課金方式決定部２４００は、サービス提供者３０００に対して、サービス提供者３０００が提示した入札金額によって課金することを決定することができる。
【０１６８】
また、例えば、サービス提供者３０００が、「サービスの種類Ａ」に係わるコンテクスト項目Ａ，Ｂ，Ｃを、共同購入方式で購入要請したとするならば、課金方式決定部２４００は、サービス提供者３０００の購入金額を、「サービスの種類Ａ」に係わるコンテクスト項目Ａ，Ｂ，Ｃを、共同購入方式で購入要請した他のサービス提供者（図示せず）の購入金額と比較することができる。また、課金方式決定部２４００は、サービス提供者３０００の入札金額と、他のサービス提供者（図示せず）の入札金額とに基づいて、サービス提供者３０００のサービスを利用するための客体、及び他のサービス提供者（図示せず）のサービスを利用するための客体の露出確率を決定することができる。また、課金方式決定部２４００は、サービス提供者３０００のサービスを含む客体の露出比率、及びサービス提供者３０００が提示した購入金額に基づいて、サービス提供者３０００に対して課金することを決定することができる。
【０１６９】
客体生成部２５００は、サービス提供者３０００のサービスを利用するための客体を生成する。客体生成部２５００は、客体生成に利用される既設定のテンプレートを、サービス提供者３０００に提供し、サービス提供者３０００によって編集されたテンプレートを、サービス提供者３０００から受信することができる。その場合、客体生成部２５００は、テンプレートを編集するための編集ツールを、サービス提供者３０００に提供することができ、サービス提供者３０００は、編集ツールを利用して、テンプレートに、自体のサービスに係わるサービス情報を挿入することができる。サービス情報は、サービス提供者３０００のサービスに係わる情報であり、例えば、サービスの題目、サービスに係わるコンテンツをダウンロードするためのリンクアドレス、及びサービスに係わるイメージを含んでもよいが、それらに制限されるものではない。
【０１７０】
また、客体生成部２５００は、サービス提供者３０００から受信された編集されたテンプレートを利用して、サービス提供者３０００のサービスを利用するための客体を生成することができる。また、客体生成部２５００は、サービス提供者３０００のサービスを利用するための客体を、デバイス１０００に推薦する根拠に係わる情報を、客体に挿入することができる。また、客体生成部２５００は、サービス提供者３０００から受信されたテンプレート、及び少なくとも１つの他のサービス提供者（図示せず）から受信されたテンプレートを組み合わせ、客体を生成することもできる。しかし、サービス提供者３０００が、独占購入方式でコンテクスト項目を購入した場合には、客体生成部２５００は、客体に他のサービス提供者（図示せず）のテンプレートを含めない。
【０１７１】
また、客体生成部２５００は、生成された客体を、サービス提供者３０００が購入したコンテクストモデルにマッチングさせることができる。また、客体生成部２５００は、生成された客体を、サービス提供者３０００が購入したコンテクスト項目にマッチングさせることができる。
【０１７２】
客体提供部２６００は、デバイス１０００に客体を提供する。客体提供部２６００は、デバイス１０００の現在状況によって、コンテクストモデルを選択し、選択されたコンテクストモデルを購入要請したサービス提供者３０００のサービスを利用するための客体を、デバイス１０００に提供することができる。客体提供部２６００は、デバイス１０００の状況を確認することができ、デバイス１０００の現在状況、及びマッチングされたコンテクスト項目に基づいて、デバイス１０００に客体を提供することができる。客体提供部２６００は、例えば、デバイス１０００のユーザ、デバイス１０００の種類、デバイス１０００の位置、現在時刻、曜日、デバイス１０００で実行中であるアプリケーションをモニタリングすることができる。
【０１７３】
また、客体提供部２６００は、サービス提供者３０００が購入したコンテクストモデルまたはコンテクスト項目を、デバイス１０００の現在状況と比較し、比較結果に基づいて、客体をデバイス１０００に提供することができる。客体提供部２６００は、デバイス１０００の状況のモニタリング結果に基づいて、所定のコンテクストモデルを選択し、選択されたコンテクストモデルにマッチングされた客体を、デバイス１０００に提供することができる。客体提供部２６００は、サービス提供者３０００が購入したコンテクスト項目が、第１デバイス１０００−１の現在状況と同一であるか、あるいは類似している場合、第１デバイス１０００−１に、サービス提供者３０００のサービスを利用するための客体を提供することができる。
【０１７４】
課金額決定部２７００は、サービス提供者３０００に対する課金額を算出する。課金額決定部２７００は、サービス提供者３０００の課金方式、サービス提供者３０００の客体提供回数、サービス提供者３０００の客体が、デバイス１０００によって実行された回数、サービス提供者３０００の客体を利用したデバイス１０００のサービス利用回数、及びサービス提供者３０００の客体を利用したデバイス１０００のサービス利用金額に係わる情報に基づいて、サービス提供者に賦課する課金額を算出することができる。
【０１７５】
ＤＢ ２８００は、サーバ２０００が、コンテクスト項目をサービス提供者３０００に販売し、サービス提供者３０００のサービスを提供する客体をデバイス１０００に提供し、サービス提供者３０００に対する課金額を算出するのに必要な各種の情報を保存する。
【０１７６】
通信部２９００は、サーバ２０００が、コンテクスト項目をサービス提供者３０００に販売し、サービス提供者３０００のサービスを提供する客体をデバイス１０００に提供し、サービス提供者３０００に対する課金額を算出するために、各種の情報をサービス提供者３０００及びデバイス１０００と送受信する。
【０１７７】
制御部２９５０は、サーバ２０００全体の動作を制御し、サーバ２０００が、コンテクスト項目をサービス提供者３０００に販売し、サービス提供者３０００のサービスを提供する客体をデバイス１０００に提供し、サービス提供者３０００に対する課金額を算出するように、コンテクスト情報収集部２１００、コンテクストモデル提供部２２００、購入要請受信部２３００、課金方式決定部２４００、客体生成部２５００、客体提供部２６００、課金額決定部２７００、ＤＢ ２８００及び通信部２９００を制御する。
【０１７８】
図１８は、本発明の他の実施形態によるサーバ２０００のブロック図である。
【０１７９】
図１８に図示されているように、本発明の他の実施形態によるサーバ２０００は、コンテクストモデル提供部２２００、購入要請受信部２３００、客体生成部２５００、客体提供部２６００、ＤＢ ２８００、通信部２９００及び制御部２９５０を含む。
【０１８０】
コンテクストモデル提供部２２００は、コンテクストモデルを、サービス提供者３０００に提供する。コンテクストモデル提供部２２００は、コンテクスト情報及びコンテクストモデルのうち少なくとも一つを、サービス提供者３０００に提供することができる。
【０１８１】
購入要請受信部２３００は、サービス提供者３０００によって選択されたコンテクストモデルに対する購入要請を、サービス提供者３０００から受信する。サービス提供者３０００は、コンテクストモデル提供部２２００から受信されたコンテクストモデルのうち、自体のサービスにマッチングさせる所定のコンテクストモデルを選択することができ、選択されたコンテクストモデルに係わる情報を、購入要請受信部２３００に提供することができる。また、サービス提供者３０００は、コンテクストモデル提供部２２００から受信されたコンテクストモデルに含まれたコンテクスト項目のうち、所定のコンテクスト項目を選択することができ、選択されたコンテクスト項目に係わる情報を、購入要請受信部２３００に提供することができる。
【０１８２】
購入要請受信部２３００は、サービス提供者３０００のサービスを、コンテクスト項目とマッチングさせる。購入要請受信部２３００は、サービス提供者３０００から、コンテクスト項目の購入要請を受信し、サービス提供者３０００のサービスを、サービス提供者３０００によって購入されたコンテクスト項目とマッチングさせることができる。また、購入要請受信部２３００は、サービス提供者３０００によって選択されたコンテクスト項目に対するサービス提供者３０００の購入を確定し、サービス提供者３０００によって選択されたコンテクスト項目を、サービス提供者３０００のサービスとマッチングさせることができる。例えば、購入要請受信部２３００は、サービス提供者３０００のサービスである「朝のドラマＡ」を、「平日の朝」、「主婦」、「ＴＶ」のようなコンテクスト項目とマッチングさせることができる。
【０１８３】
客体生成部２５００は、サービス提供者３０００のサービスを利用するための客体を生成する。客体生成部２５００は、客体生成に利用される既設定のテンプレートを、サービス提供者３０００に提供し、サービス提供者３０００によって編集されたテンプレートを、サービス提供者３０００から受信することができる。その場合、客体生成部２５００は、テンプレートを編集するための編集ツールを、サービス提供者３０００に提供することができ、サービス提供者３０００は、編集ツールを利用して、テンプレートに、自体のサービスに係わるサービス情報を挿入することができる。サービス情報は、サービス提供者３０００のサービスに係わる情報であり、例えば、サービスの題目、サービスに係わるコンテンツをダウンロードするためのリンクアドレス、及びサービスに係わるイメージを含んでもよいが、それらに制限されるものではない。
【０１８４】
また、客体生成部２５００は、サービス提供者３０００から受信された編集されたテンプレートを利用して、サービス提供者３０００のサービスを利用するための客体を生成することができる。また、客体生成部２５００は、サービス提供者３０００のサービスを利用するための客体を、デバイス１０００に推薦する根拠に係わる情報を、客体に挿入することができる。また、客体生成部２５００は、サービス提供者３０００から受信されたテンプレート、及び少なくとも１つの他のサービス提供者（図示せず）から受信されたテンプレートを組み合わせ、客体を生成することもできる。しかし、サービス提供者３０００が、独占購入方式でコンテクスト項目を購入した場合には、客体生成部２５００は、客体に、他のサービス提供者（図示せず）のテンプレートを含めない。
【０１８５】
また、客体生成部２５００は、生成された客体を、サービス提供者３０００が購入したコンテクストモデルにマッチングさせることができる。また、客体生成部２５００は、生成された客体を、サービス提供者３０００が購入したコンテクスト項目にマッチングさせることができる。
【０１８６】
客体提供部２６００は、デバイス１０００に客体を提供する。客体提供部２６００は、デバイス１０００の現在状況によって、コンテクストモデルを選択し、選択されたコンテクストモデルを購入要請したサービス提供者３０００のサービスを利用するための客体を、デバイス１０００に提供することができる。客体提供部２６００は、デバイス１０００の状況を確認することができ、デバイス１０００の現在状況、及びマッチングされたコンテクスト項目に基づいて、デバイス１０００に客体を提供することができる。客体提供部２６００は、例えば、デバイス１０００のユーザ、デバイス１０００の種類、デバイス１０００の位置、現在時刻、曜日、デバイス１０００で実行中であるアプリケーションをモニタリングすることができる。
【０１８７】
また、客体提供部２６００は、サービス提供者３０００が購入したコンテクストモデルまたはコンテクスト項目を、デバイス１０００の現在状況と比較し、比較結果に基づいて、客体をデバイス１０００に提供することができる。客体提供部２６００は、デバイス１０００の状況のモニタリング結果に基づいて、所定のコンテクストモデルを選択し、選択されたコンテクストモデルにマッチングされた客体を、デバイス１０００に提供することができる。客体提供部２６００は、サービス提供者３０００が購入したコンテクスト項目が、第１デバイス１０００−１の現在状況と同一であるか、あるいは類似している場合、第１デバイス１０００−１に、サービス提供者３０００のサービスを利用するための客体を提供することができる。
【０１８８】
通信部２９００は、サーバ２０００が、コンテクスト項目をサービス提供者３０００に販売し、サービス提供者３０００のサービスを提供する客体を、デバイス１０００に提供するために、各種の情報を、サービス提供者３０００及びデバイス１０００と送受信する。
【０１８９】
制御部２９５０は、サーバ２０００全体の動作を制御し、サーバ２０００が、コンテクスト項目をサービス提供者３０００に販売し、サービス提供者３０００のサービスを提供する客体を、デバイス１０００に提供するように、コンテクストモデル提供部２２００、購入要請受信部２３００、客体生成部２５００、客体提供部２６００、ＤＢ ２８００及び通信部２９００を制御する。
【０１９０】
図１９は、本発明の一実施形態によるサービス提供者３０００のブロック図である。本明細書で、サービス提供者３０００は、所定のサーバでもある。
【０１９１】
図１９を参照すれば、本発明の一実施形態によるサービス提供者３０００は、コンテクスト項目選択部３１００、購入要請部３２００、テンプレート編集部３３００、テンプレート提供部３４００、ＤＢ ３５００、通信部３６００及び制御部３７００を含む。
【０１９２】
コンテクスト項目選択部３１００は、サーバ２０００から、コンテクストモデルに係わる情報を受信し、受信されたコンテクストモデルに係わる情報に基づいて、コンテクスト項目を選択する。コンテクスト項目選択部３１００は、サービス提供者３０００が提供するサービスのうち少なくとも一つを選択し、選択されたサービスについて、所定のコンテクスト項目を選択することができる。コンテクスト項目選択部３１００は、コンテクストモデルを選択したり、あるいはコンテクストモデルに含まれたコンテクスト項目の一部を選択することができる。例えば、コンテクストモデルで、「朝ドラマの放送サービス」が、「平日の朝」、「主婦」、「ＴＶ」のようなコンテクスト項目とマッチングされた場合、コンテクスト項目選択部３１００は、サービス提供者３０００の「朝のドラマＡ」を選択し、「朝のドラマＡ」について、「平日の朝」、「主婦」、「ＴＶ」を選択することができる。
【０１９３】
購入要請部３２００は、選択されたサービスに係わって選択されたコンテクスト項目の購入を、サーバ２０００に要請する。購入要請部３２００は、選択されたサービスの識別値、及び選択されたコンテクスト項目を、サーバ２０００に提供することができる。また、購入要請部３２００は、例えば、コンテクスト項目選択部３１００が、「朝のドラマＡ」を選択し、「朝のドラマＡ」について、「平日の朝」、「主婦」、「ＴＶ」を選択した場合、購入要請部３２００は、「朝のドラマＡ」、「平日の朝」、「主婦」、「ＴＶ」を、サーバ２０００に提供することができる。また、購入要請部３２００は、「朝のドラマＡ」、「平日の朝」、「主婦」、「ＴＶ」のようなコンテクスト項目の購入を、サーバ２０００に要請することができる。
【０１９４】
また、購入要請部３２００は、課金方式及び購入金額に係わる情報を、サーバ２０００に提供する。購入要請部３２００は、選択されたコンテクスト項目について、いかなる方式で課金し、いかほどの金額を支払うかということに係わる情報を、サーバ２０００に提供することができる。購入要請部３２００によって購入されたコンテクスト項目に基づいて、デバイス１０００に、サービス提供者３０００のサービスが提供されることにより、サーバ２０００は、サービス提供者３０００に、所定の金額を課金することができる。その場合、購入要請部３２００によって提供された課金方式及び購入金額に基づいて、サーバ２０００は、サービス提供者３０００に課金する課金額を決定することができる。また、課金方式は、例えば、競売方式、共同購入方式、独占購入方式、客体の露出程度によって課金する方式、及び客体を介したサービス利用によって課金する方式のうち少なくとも一つを含んでもよいが、それらに制限されるものではない。
【０１９５】
テンプレート編集部３３００は、サーバ２０００から、客体生成のためのテンプレートを受信し、受信されたテンプレートを編集する。客体生成のためのテンプレートは、複数の領域を含んでもよく、例えば、サービスに係わる説明（description）を挿入するための領域、サービスに係わるイメージを挿入するための領域、サービスを利用するためのメニュー、及びアイコンを挿入するための領域を含んでもよいが、それらに制限されるものではない。
【０１９６】
テンプレート編集部３３００は、サーバ２０００から、テンプレートの編集のための編集ツールを受信し、受信された編集ツールを利用して、テンプレートを編集することができる。テンプレート編集部３３００は、サーバ２０００から受信された編集ツールを利用して、テンプレートに含まれた各領域に、サービス情報を挿入することができる。サービス情報は、サービス提供者３０００のサービスに係わる情報であり、例えば、サービスの題目、サービスに係わるコンテンツをダウンロードするためのリンクアドレス、及びサービスに係わるイメージを含んでもよいが、それらに制限されるものではない。
【０１９７】
テンプレート提供部３４００は、編集されたテンプレートを、サーバ２０００に提供する。テンプレート提供部３４００は、サービス提供者３０００のサービス情報が挿入されたテンプレートを、サーバ２０００に提供することができる。
【０１９８】
ＤＢ ３５００は、サービス提供者３０００がコンテクスト項目を購入し、客体生成のためのテンプレートを編集するのに必要な各種の情報を保存する。
【０１９９】
通信部３６００は、サービス提供者３０００がコンテクスト項目を購入し、客体生成のためのテンプレートを編集することができるように、各種の情報を、サーバ２０００及びデバイス１０００と送受信する。
【０２００】
制御部３７００は、サービス提供者３０００全体の動作を制御し、サービス提供者３０００がコンテクスト項目を購入し、客体生成のためのテンプレートを編集することができるように、コンテクスト項目選択部３１００、購入要請部３２００、テンプレート編集部３３００、テンプレート提供部３４００、ＤＢ ３５００及び通信部３６００を制御する。
【０２０１】
図２０は、本発明の一実施形態によるサーバ２０００が、コンテクストモデルにマッチングされた客体を生成する方法のフローチャートである。
【０２０２】
段階Ｓ２０００でサーバ２０００は、コンテクストモデルをサービス提供者３０００に提供する。サーバ２０００は、コンテクスト情報及びコンテクストモデルのうち少なくとも一つをサービス提供者３０００に提供することができる。
【０２０３】
段階Ｓ２１００で、サーバ２０００は、サービス提供者３０００によって選択されたコンテクストモデルに対する購入要請を、サービス提供者３０００から受信する。サービス提供者３０００は、サーバ２０００から受信されたコンテクストモデルのうち、自体のサービスにマッチングさせる所定のコンテクストモデルを選択することができ、選択されたコンテクストモデルに係わる情報を、サーバ２０００に提供することができる。また、サービス提供者３０００は、サーバ２０００から受信されたコンテクストモデルに含まれたコンテクスト項目のうち、所定のコンテクスト項目を選択することができ、選択されたコンテクスト項目に係わる情報を、サーバ２０００に提供することができる。
【０２０４】
段階Ｓ２２００で、サーバ２０００は、購入要請されたコンテクストモデルにマッチングされる客体を生成する。サーバ２０００は、客体生成に利用される既設定のテンプレートを、サービス提供者３０００に提供し、サービス提供者３０００によって編集されたテンプレートを、サービス提供者３０００から受信することができる。その場合、サーバ２０００は、テンプレートを編集するための編集ツールを、サービス提供者３０００に提供することができ、サービス提供者３０００は、編集ツールを利用して、テンプレートに、自体のサービスに係わるサービス情報を挿入することができる。
【０２０５】
また、サーバ２０００は、サービス提供者３０００から受信された編集されたテンプレートを利用して、サービス提供者３０００のサービスを利用するための客体を生成することができる。また、サーバ２０００は、サービス提供者３０００のサービスを利用するための客体を、デバイス１０００に推薦する根拠に係わる情報を、客体に挿入することができる。
【０２０６】
また、サーバ２０００は、生成された客体を、サービス提供者３０００が購入したコンテクストモデルにマッチングさせることができる。また、サーバ２０００は、生成された客体を、サービス提供者３０００が購入したコンテクスト項目にマッチングさせることができる。
【０２０７】
本発明の一実施形態は、コンピュータによって実行されるプログラム・モジュールのようなコンピュータによって実行可能な命令語を含む記録媒体の形態でも具現される。コンピュータ可読媒体は、コンピュータによってアクセスされる任意の可用媒体でもあり、揮発性及び不揮発性の媒体、分離型及び非分離型の媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュールまたはその他データのような情報の保存のための任意の方法、または技術で具現された揮発性及び不揮発性、分離型及び非分離型の媒体をいずれも含む。通信媒体は、典型的には、コンピュータ可読命令語、データ構造、プログラム・モジュールまたは搬送波のような変調されたデータ信号のその他データ、またはその他伝送メカニズムを含み、任意の情報伝達媒体を含む。
【０２０８】
前述の本発明の説明は、例示のためのものであり、本発明が属する技術分野の当業者であるならば、本発明の技術的思想や必須な特徴を変更せずにも、他の具体的な形態に容易に変形が可能であるということを理解することができるであろう。従って、以上で記述した実施形態は、あらゆる面で例示的なものであり、限定的ではないと理解しなければならない。例えば、単一型と説明されている各構成要素は、分散されて実施されもし、同様に、分散されていると説明されている構成要素も、結合された形態で実施されもする。
【０２０９】
本発明の範囲は、前述の詳細な説明よりは、特許請求の範囲によって示され、特許請求の範囲の意味及び範囲そしてその均等概念から導き出されるあらゆる変更または変形された形態が、本発明の範囲に含まれるものであると解釈されなければならない。
【産業上の利用可能性】
【０２１０】
本発明のサービス提供者のサービスに係わる客体を提供するシステム及びその方法は、例えば、情報サービス提供関連の技術分野に効果的に適用可能である。
【符号の説明】
【０２１１】
５０，５２，５４    テンプレート
１０００    デバイス
１０００−１    第１デバイス
１０００−２    第２デバイス
２０００    サーバ
２１００    コンテクスト情報収集部
２２００    コンテクストモデル提供部
２３００    購入要請受信部
２４００    課金方式決定部
２５００    客体生成部
２６００    課金額決定部
２８００，３５００    ＤＢ
２９００，３６００    通信部
２９５０，３７００    制御部
３０００    サービス提供者
３０００−１    第１サービス提供者
３０００−２    第２サービス提供者
３１００    コンテクスト項目選択部
３２００    購入要請部
３３００    テンプレート編集部
３４００    テンプレート提供部
【図１】
2014154164.tif 000003
【図２】
2014154164.tif 000004
【図３】
2014154164.tif 000005
【図４】
2014154164.tif 000006
【図５】
2014154164.tif 000007
【図６】
2014154164.tif 000008
【図７】
2014154164.tif 000009
【図８】
2014154164.tif 000010
【図９】
2014154164.tif 000011
【図１０】
2014154164.tif 000012
【図１１】
2014154164.tif 000013
【図１２】
2014154164.tif 000014
【図１３】
2014154164.tif 000015
【図１４】
2014154164.tif 000016
【図１５】
2014154164.tif 000017
【図１６】
2014154164.tif 000018
【図１７】
2014154164.tif 000019
【図１８】
2014154164.tif 000020
【図１９】
2014154164.tif 000021
【図２０】
2014154164.tif 000022
【図２１】
2014154164.tif 000023